(57)【要約】 【課題】  ネットワークに接続可能な監視対象機器のパラメータ設定処理する場合に、複数の監視対象機器のパラメータ設定を一括して共通したパラメータ設定に変更できるようにすると共に、全機種の同じ設定項目を同じ値に容易に設定できるようにする。【解決手段】  ネットワークに接続可能なＶＴＲ２０４〜２０６の設定項目を指定するパラメータ識別子ＩＤを処理するシステムであって、パラメータ設定操作するパソコン１０３と、ＶＴＲ２０４〜２０６等を通信手段を介して接続し、ＶＴＲ２０４等は、パラメータ設定操作するパソコン１０３からパラメータ識別子ＩＤを受信し、受信したパラメータ識別子ＩＤを解析し、ここに解析されたパラメータ識別子ＩＤを当該ＶＴＲ２０４のパラメータ識別子ＩＤに変換し、変換後のパラメータ識別子ＩＤに対応付けられた設定項目の調整内容に基づいて当該ＶＴＲ２０４のパラメータ設定を変更するものである。【選択図】    図１
2006079443.tif 000002
【特許請求の範囲】
【請求項１】
ネットワークに接続可能な電子機器の所定機能の調整属性である設定項目を指定する設定識別情報を処理するシステムであって、
パラメータ設定操作する側の前記電子機器と、パラメータ設定操作される側の前記電子機器とを接続し、
前記パラメータ設定操作される側の電子機器は、
前記パラメータ設定操作する側の電子機器から前記設定識別情報を受信し、
受信した前記設定識別情報を解析し、
解析された前記設定識別情報を当該受信側の電子機器の設定識別情報に変換し、
変換後の前記設定識別情報に対応付けられた設定項目の調整内容に基づいて当該受信側の電子機器のパラメータ設定を変更することを特徴とする情報処理システム。
【請求項２】
前記パラメータ設定操作される側の電子機器は、
前記設定項目の調整内容を解析し、
解析された前記設定項目の調整内容を当該機器の調整内容に変換し、
変換後の前記調整内容に基づいて当該機器のパラメータ設定を変更することを特徴とする請求項１に記載の情報処理システム。
【請求項３】
前記パラメータ設定操作される側の電子機器には、
前記パラメータ設定操作する側の電子機器の設定識別情報を当該受信側の電子機器の設定識別情報に変換する情報変換テーブルが備えられることを特徴とする請求項１に記載の情報処理システム。
【請求項４】
前記パラメータ設定操作される側の電子機器には、
前記パラメータ設定操作する側の電子機器から前記設定識別情報を受信し、
受信した前記設定識別情報を解析し、
解析された前記設定識別情報を当該受信側の電子機器の設定識別情報に変換し、
変換後の前記設定識別情報に対応付けられた設定項目の調整内容に基づいて当該受信側の電子機器のパラメータ設定を変更するプログラムを格納した記憶手段が備えられることを特徴とする請求項１に記載の情報処理システム。
【請求項５】
前記電子機器が異なる機種である場合であって、
当該電子機器の同じ機能を調整するための設定項目に対して異なる設定識別情報が割り当てられることを特徴とする請求項１に記載の情報処理システム。
【請求項６】
前記電子機器が同一機種である場合は、
当該電子機器の同じ機能を調整するための設定項目に対して同一の設定識別情報が割り当てられることを特徴とする請求項１に記載の情報処理システム。
【請求項７】
前記電子機器が同一範疇の機種である場合は、
当該電子機器の同じ機能を調整するための設定項目に対して共通の設定識別情報を割り当てられることを特徴とする請求項１に記載の情報処理システム。
【請求項８】
パラメータ設定操作する側の他の電子機器とネットワーク接続可能な電子機器であって、所定機能の調整属性である設定項目を指定する設定識別情報を処理することにより、パラメータ設定操作される電子機器において、
前記パラメータ設定操作する側の電子機器から前記設定識別情報を受信する受信手段と、
前記受信手段により受信した前記設定識別情報を解析する解析手段と、
前記解析手段によって解析された前記設定識別情報を当該機器の設定識別情報に変換する変換手段と、
前記変換手段により変換された後の前記設定識別情報に対応付けられた設定項目の調整内容に基づいて当該機器のパラメータ設定を変更する変更手段とを備えることを特徴とする電子機器。
【請求項９】
前記変換手段は、
前記設定項目の調整内容を当該機器の調整内容に変換することを特徴とする請求項８に記載の電子機器。
【請求項１０】
前記パラメータ設定操作する側の電子機器の設定識別情報を当該機器の設定識別情報に変換する情報変換テーブルが備えられることを特徴とする請求項８に記載の電子機器。
【請求項１１】
前記パラメータ設定操作する側の電子機器から前記設定識別情報を受信し、
受信した前記設定識別情報を解析し、
解析された前記設定識別情報を当該受信側の電子機器の設定識別情報に変換し、
変換後の前記設定識別情報に対応付けられた設定項目の調整内容に基づいて当該機器のパラメータ設定を変更するプログラムを格納した記憶手段が備えられることを特徴とする請求項８に記載の電子機器。
【請求項１２】
ネットワークに接続可能な電子機器の所定機能の調整属性である設定項目を指定する設定識別情報を処理する方法であって、
パラメータ設定操作する側の前記電子機器と、パラメータ設定操作される側の前記電子機器とを接続し、
前記パラメータ設定操作される側の電子機器は、
前記パラメータ設定操作する側の電子機器から前記設定識別情報を受信し、
受信した前記設定識別情報を解析し、
解析された前記設定識別情報を当該受信側の電子機器の設定識別情報に変換し、
変換後の前記設定識別情報に対応付けられた設定項目の調整内容に基づいて当該受信側の電子機器のパラメータ設定を変更することを特徴とする情報処理方法。
【請求項１３】
前記設定項目の調整内容を解析し、
解析された前記設定項目の調整内容を当該機器の調整内容に変換し、
変換後の前記調整内容に基づいて当該機器のパラメータ設定を変更することを特徴とする請求項１２に記載の情報処理方法。
【請求項１４】
前記パラメータ設定操作される側の電子機器には、
前記パラメータ設定操作する側の電子機器の設定識別情報を当該受信側の電子機器の設定識別情報に変換する情報変換テーブルが使用されることを特徴とする請求項１２に記載の情報処理方法。
【請求項１５】
前記パラメータ設定操作される側の電子機器には、
前記パラメータ設定操作する側の電子機器から前記設定識別情報を受信し、
受信した前記設定識別情報を解析し、
解析された前記設定識別情報を当該受信側の電子機器の設定識別情報に変換し、
変換後の前記設定識別情報に対応付けられた設定項目の調整内容に基づいて当該受信側の電子機器のパラメータ設定を変更するプログラムが使用されることを特徴とする請求項１２に記載の情報処理方法。
【請求項１６】
前記電子機器が異なる機種である場合であって、
当該電子機器の同じ機能を調整するための設定項目に対して異なる設定識別情報を割り当てることを特徴とする請求項１２に記載の情報処理方法。
【請求項１７】
前記電子機器が同一の機種である場合は、
当該電子機器の同じ機能を調整するための設定項目に対して同一の設定識別情報を割り当てることを特徴とする請求項１２に記載の情報処理方法。
【請求項１８】
前記電子機器が同一範疇の機種である場合は、
当該電子機器の同じ機能を調整するための設定項目に対して共通の設定識別情報を割り当てることを特徴とする請求項１２に記載の情報処理方法。
【請求項１９】
パラメータ設定操作される側の電子機器の所定機能の調整属性である設定項目を指定する設定識別情報を処理するプログラムであって、
パラメータ設定操作する側の電子機器から前記設定識別情報を受信するステップと、
受信した前記設定識別情報を解析するステップと、
解析された前記設定識別情報を当該受信側の電子機器の設定識別情報に変換するステップと、
変換後の前記設定識別情報に対応付けられた設定項目の調整内容に基づいて当該受信側の電子機器のパラメータ設定を変更するステップとを有することを特徴とするコンピュータ処理可能なプログラム。
【請求項２０】
パラメータ設定操作される側の電子機器の所定機能の調整属性である設定項目を指定する設定識別情報を処理するプログラムを格納した記録媒体であって、
前記プログラムは、
パラメータ設定操作する側の電子機器から前記設定識別情報を受信するステップと、
受信した前記設定識別情報を解析するステップと、
解析された前記設定識別情報を当該受信側の電子機器の設定識別情報に変換するステップと、
変換後の前記設定識別情報に対応付けられた設定項目の調整内容に基づいて当該受信側の電子機器のパラメータ設定を変更するステップとを有することを特徴とするコンピュータ処理可能な記録媒体。
【発明の詳細な説明】
【技術分野】
【０００１】
本発明は、ネットワーク接続可能な電子機器に対して遠隔地からパラメータを設定するリモートメンテナンスシステム等に適用して好適な情報処理システム、電子機器、情報処理方法、コンピュータ処理可能なプログラム及び記録媒体に関する。
【０００２】
詳しくは、ネットワークに接続可能な電子機器の設定項目を指定する設定識別情報を処理する場合に、パラメータ設定操作する側の電子機器から受信した設定識別情報を解析した後、この設定識別情報を当該受信側の電子機器の設定識別情報に変換し、変換後の設定識別情報に対応付けられた設定項目の調整内容に基づいて当該受信側の電子機器のパラメータ設定を変更し、ネットワークに接続された複数の電子機器のパラメータ設定を一括して共通したパラメータ設定に変更できるようにすると共に、全機種の同じ設定項目を同じ値に容易に設定できるようにしたものである。
【背景技術】
【０００３】
近年、デジタル家電、電化製品及び電気製品が数多く生産及び販売されている現状において、それらは家庭内、公共機関あるいは民間機関とあらゆる場所に設置され、それらを利用するユーザーに数多くの便利な機能を提供できる環境が整備されつつある。例えば、放送局等において、インターネットやＬＡＮ（イサーネット）等のネットワークに、ビデオテープレコーダ（ＶＴＲ）や、プリンタ、ビデオカメラ、ＩＰカメラ等の電子機器を接続して使用される場合が多くなってきた。
【０００４】
数多くのメーカーが、各メーカーの独自の特色を打ち出した、様々な製品を発売している現在において、ひとつの環境やひとつのシステム等を構築する場合に、構成要素として様々なメーカーの様々な電子機器やソフトウエア等が組み込まれることは、もはや当然のことであり、稀なことではない。
【０００５】
ひとつのネットワークを構築する場合でも、様々なハブやルータ、ブリッジが混在して採用されたり、放送システムや編集システム等を構築する場合でも、様々なメーカーの様々なＶＴＲやエディターやスイッチャー等が混在している場合が多い。
【０００６】
ところで、数多くの便利な機能が提供されることの裏返しとして、個人や団体の要求に則して、それらを利用できるよう環境を整備するためには、必ずといっていいほど、数多くの設定パラメータを変更する必要がある。設定パラメータを変更する方法として各種のリモートメンテナンスシステムが考案されている。
【０００７】
この種のリモートメンテナンスシステムに関連して特許文献１には、通信装置のリモートメンテナンス方式が開示されている。このリモートメンテナンス方式によれば、通信装置を遠隔管理する際に、発信者のダイヤル番号と予め記憶しておいたリモートメンテナンスダイヤル番号とを比較し、それが一致したとき、着信音を鳴動することなく、局線を捕捉し、リモートメンテナンスセンターの管理装置と、当該使用者の通信装置の送受信部を接続するようになされる。このようにメンテナンス方式を構成すると、通信装置の使用者に煩わせることなく、リモートメンテナンスを行うことができるというものである。
【０００８】
また、ネットワークに接続される電子機器に関連して、特許文献２には、リモートメンテナンス装置、その装置に接続される端末、リモートメンテナンス処理用のプログラム及び記録媒体が開示されている。このリモートメンテナンス装置によれば、ネットワークに接続された端末から障害発生時に構成情報を取得する際に、最新取得した障害発生時の構成情報と、世代前の故障発生時の構成情報とを比較して、最新の構成情報と世代前の構成情報との差分情報を抽出する。この差分情報に基づいて故障原因を検索するようになされる。このようにメンテナンス装置を構成すると、ネットワークに接続された端末の故障原因を迅速に探索できるので、効率良くかつ効果的に保守できるというものである。
【０００９】
更に、リモートメンテナンスシステムに関連して特許文献３には、通信装置のリモートメンテナンス方式が開示されている。このリモートメンテナンス方式によれば、ネットワークに接続された対象機器を遠隔管理する場合に、指示装置は、コマンドを記述した電子メールをインターネット経由で対象機器に送信する。対象機器は、電子メールを受信してコマンドを実行し、設定及び保守を実行する。このようにメンテナンス方式を構成すると、ネットワーク環境の設定が不要なリモートメンテナンスを実現できるというものである。
【００１０】
また、リモートメンテナンスシステムに関連して特許文献４には、リモートメンテナンス方法及びその装置が開示されている。このリモートメンテナンス方法によれば、リモートメンテナンス計算機と、遠隔監視計算機とを通信手段を介して接続し、双方でリモートメンテナンスに係るリモートメンテナンス可否判定処理を実行し、双方でアクセスを許可した後に、リモートメンテナンス計算機から遠隔監視計算機へ変更プログラムをダウンロードするようになされる。このようにメンテナンス方法を構成すると、安全かつ迅速にプログラムを変更できるというものである。
【００１１】
【特許文献１】特開平  １０−２１０１６４号公報（第２頁  第２図）
【特許文献２】特開２００１−３４４１３０号公報（第５頁  第２図）
【特許文献３】特開２００２−３０５７７７号公報（第３頁  第５図）
【特許文献４】特開２００４−１６４０４８号公報（第３頁  第２図）
【発明の開示】
【発明が解決しようとする課題】
【００１２】
ところで、従来例に係る情報処理システム、電子機器、情報処理方法、コンピュータ処理可能なプログラム及び記録媒体によれば、以下のような問題がある。
【００１３】
ｉ．ある監視対象機器の設定パラメータを変更する場合、ユーザーの要望を実現するために１台ずつ監視対象機器の幾つかの設定パラメータをそれなりの手間をかけて変更している。しかし、何十・何百といったオーダーの機能的に似通っているが、異なる機器を同じ環境・同じ設定に変更するためには、手間隙はもとより、担当者の人為的ミスで誤った設定に変更してしまうといったリスクが考えられ、非効率的である上に、全体の管理が複雑になってくる。
【００１４】
ii．異機種を複数台使用している環境及びシステムにおいて、ある設定項目を同等の設定値、例えば、日本国内の映像信号方式を「ＮＴＳＣ」に揃えて変更したい場合に、管理者が様々なフロアの様々な部屋の中にある、様々なラックに散在する対象機器の前まで出向き、コントロールパネルからセットアップメニューを開いて、数多くのメニュー項目の中から必要な変更箇所を探し出し、それから、プログラムを変更するという作業を１台１台実施しなければならない。
【００１５】
iii．また、少し良く設計された対象機器によれば、設定パラメータ群を外部メモリなどを利用しインポート及びエクスポートする機能（方法）をサポートしている。この方法は、ネットワーク上に同機種が複数台存在する場合、１台に対して設定したパラメータ群を専用のファイル形式に変換してから、外部メモリやネットワーク経由で設定パラメータ群をコピーするようになされる。しかし、この方法では、管理対象機器が多くなってくると、短い時間で設定変更作業を完了させるには、人海戦術を取らざるを得なくなり、多くの人手が必要となる上に、作業担当者の人数に比例して、作業手順を教育する手間が増すことが予想される。
【００１６】
iv．ある機種には専用のリモート設定アプリケーション（ツール）が用意されており、アプリケーションを起動し、指定したＩＰアドレスの機器に対して設定パラメータを変更できる場合もある。しかし、監視対象機器の台数が多い場合には、一台一台に対してアプリケーションを起動し、監視対象機器（以下電子機器ともいう）に割り当てられたＩＰアドレス等を頼りに、該当する設定パラメータを変更する必要がある。従って、特許文献１乃至４を採用したとしても、接続対象機種が複数混在する場合には、それぞれの機種に対応するリモート設定アプリケーションのインストールや起動が必要となる上に、対象機種の全ての接続先のＩＰアドレス情報を把握しておかなければならない。
【００１７】
そこで、この発明は、このような従来の課題を解決したものであって、ネットワークに接続可能な電子機器のパラメータ設定処理する場合に、複数の電子機器のパラメータ設定を一括して共通したパラメータ設定に変更できるようにすると共に、全機種の同じ設定項目を同じ値に容易に設定できるようにした情報処理システム、電子機器、情報処理方法、コンピュータ処理可能なプログラム及び記録媒体を提供することを目的とする。
【課題を解決するための手段】
【００１８】
上述した課題は、ネットワークに接続可能な電子機器の所定機能の調整属性である設定項目を指定する設定識別情報を処理するシステムであって、パラメータ設定操作する側の電子機器と、パラメータ設定操作される側の電子機器とを接続し、パラメータ設定操作される側の電子機器は、パラメータ設定操作する側の電子機器から設定識別情報を受信し、受信した設定識別情報を解析し、ここに解析された設定識別情報を当該受信側の電子機器の設定識別情報に変換し、変換後の設定識別情報に対応付けられた設定項目の調整内容に基づいて当該受信側の電子機器のパラメータ設定を変更することを特徴とする情報処理システムによって解決される。
【００１９】
本発明に係る情報処理システムによれば、ネットワークに接続可能な電子機器の設定項目を指定する設定識別情報を処理する場合に、まず、パラメータ設定操作する側の電子機器と、パラメータ設定操作される側の電子機器とが、例えば、ネットワークにより接続される。その後、パラメータ設定操作される側の電子機器は、パラメータ設定操作する側の電子機器から設定識別情報を受信する。受信した設定識別情報を解析し、ここで解析された設定識別情報を当該受信側の電子機器の設定識別情報に変換する。受信側の電子機器は、変換後の設定識別情報に対応付けられた設定項目の調整内容に基づいて当該受信側の電子機器のパラメータ設定を変更する。
【００２０】
従って、ネットワークに接続された複数の電子機器のパラメータ設定を一括して共通したパラメータ設定に変更することができる。しかも、パラメータ設定操作する側の電子機器の機種と、パラメータ設定操作される側の電子機器の機種とが相違しても、一斉にパラメータを変更することができ、全機種の同じ設定項目を同じ値に容易に設定することができる。
【００２１】
本発明に係る電子機器は、パラメータ設定操作する側の他の電子機器とネットワーク接続可能な電子機器であって、所定機能の調整属性である設定項目を指定する設定識別情報を処理することにより、パラメータ設定操作される電子機器において、パラメータ設定操作する側の電子機器から設定識別情報を受信する受信手段と、この受信手段により受信した設定識別情報を解析する解析手段と、この解析手段によって解析された設定識別情報を当該機器の設定識別情報に変換する変換手段と、変換手段によって変換された後の設定識別情報に対応付けられた設定項目の調整内容に基づいて当該機器のパラメータ設定を変更する変更手段とを備えることを特徴とするものである。
【００２２】
本発明に係る電子機器によれば、所定機能の調整属性である設定項目を指定する設定識別情報を処理する場合に、受信手段は、パラメータ設定操作する側の電子機器から設定識別情報を受信する。解析手段は、受信手段により受信した設定識別情報を解析する。これを前提にして、変更手段は、解析手段によって解析された設定識別情報を当該機器の設定識別情報に変換し、変換後の設定識別情報に対応付けられた設定項目の調整内容に基づいて当該機器のパラメータ設定を変更する。
【００２３】
従って、パラメータ設定操作する側の電子機器と機種が相違しても、設定パラメータを容易に変更することができ、全機種の同じ設定項目を同じ値に設定することができる。これにより、従来方式のようにサービスマンや管理者が現場まで出向き、一台一台の電子機器に対して管理・点検を行う手間を減らすことができる。
【００２４】
本発明に係る情報処理方法は、ネットワークに接続可能な電子機器の所定機能の調整属性である設定項目を指定する設定識別情報を処理する方法であって、パラメータ設定操作する側の電子機器と、パラメータ設定操作される側の電子機器とを接続し、パラメータ設定操作される側の電子機器は、パラメータ設定操作する側の電子機器から設定識別情報を受信し、受信した設定識別情報を解析し、ここに解析された設定識別情報を当該受信側の電子機器の設定識別情報に変換し、変換後の設定識別情報に対応付けられた設定項目の調整内容に基づいて当該受信側の電子機器のパラメータ設定を変更することを特徴とするものである。
【００２５】
本発明に係る情報処理方法によれば、ネットワークに接続可能な電子機器の設定項目を指定する設定識別情報を処理する場合に、ネットワークに接続された複数の電子機器のパラメータ設定を一括して共通したパラメータ設定に変更することができる。しかも、パラメータ設定操作する側の電子機器の機種と、パラメータ設定操作される側の電子機器の機種とが相違しても、一斉にパラメータを変更することができ、全機種の同じ設定項目を同じ値に容易に設定することができる。
【００２６】
本発明に係るコンピュータ処理可能なプログラムは、パラメータ設定操作される側の電子機器の所定機能の調整属性である設定項目を指定する設定識別情報を処理するプログラムであって、パラメータ設定操作する側の電子機器から設定識別情報を受信するステップと、受信した設定識別情報を解析するステップと、解析された設定識別情報を当該受信側の電子機器の設定識別情報に変換するステップと、変換後の設定識別情報に対応付けられた設定項目の調整内容に基づいて当該受信側の電子機器のパラメータ設定を変更するステップとを有することを特徴とするものである。
【００２７】
本発明に係るコンピュータ処理可能なプログラムによれば、ネットワークに接続された複数の電子機器のパラメータ設定を一括して共通したパラメータ設定に変更することができる。しかも、パラメータ設定操作する側の電子機器の機種と、パラメータ設定操作される側の電子機器の機種とが相違しても、一斉にパラメータを変更することができ、全機種の同じ設定項目を同じ値に容易に設定することができる。
【００２８】
本発明に係るコンピュータ処理可能な記録媒体は、パラメータ設定操作される側の電子機器の所定機能の調整属性である設定項目を指定する設定識別情報を処理するプログラムを格納した記録媒体であって、プログラムは、パラメータ設定操作する側の電子機器から設定識別情報を受信するステップと、受信した設定識別情報を解析するステップと、解析された設定識別情報を当該受信側の電子機器の設定識別情報に変換するステップと、変換後の設定識別情報に対応付けられた設定項目の調整内容に基づいて当該受信側の電子機器のパラメータ設定を変更するステップとを有することを特徴とするものである。
【００２９】
本発明に係るコンピュータ処理可能な記録媒体によれば、ネットワークに接続された複数の電子機器のパラメータ設定を一括して共通したパラメータ設定に変更することができる。しかも、パラメータ設定操作する側の電子機器の機種と、パラメータ設定操作される側の電子機器の機種とが相違しても、一斉にパラメータを変更することができ、全機種の同じ設定項目を同じ値に容易に設定することができる。
【発明の効果】
【００３０】
本発明に係る情報処理システム及び情報処理方法によれば、ネットワークに接続可能な電子機器の設定項目を指定する設定識別情報を処理する場合に、パラメータ設定操作する側の電子機器から受信した設定識別情報を解析した後、この設定識別情報を当該受信側の電子機器の設定識別情報に変換し、変換後の設定識別情報に対応付けられた設定項目の調整内容に基づいて当該受信側の電子機器のパラメータ設定を変更するようになされる。
【００３１】
この構成によって、ネットワークに接続された複数の電子機器のパラメータ設定を一括して共通したパラメータ設定に変更することができる。しかも、パラメータ設定操作する側の電子機器の機種と、パラメータ設定操作される側の電子機器の機種とが相違しても、一斉にパラメータを変更することができ、全機種の同じ設定項目を同じ値に容易に設定することができる。これにより、従来方式のようにサービスマンや管理者が現場まで出向き、一台一台の電子機器に対して管理・点検を行う必要を減らすことができるとともに、一元管理・運用が容易に行えるようになることで、現場でのサポートコストを抑制することができる。
【００３２】
本発明に係る電子機器によれば、所定機能の調整属性である設定項目を指定する設定識別情報を処理する場合に変更手段を備え、この変更手段は、パラメータ設定操作する側の電子機器から受信した設定識別情報を解析した後、この設定識別情報を当該受信側の電子機器の設定識別情報に変換し、変換後の設定識別情報に対応付けられた設定項目の調整内容に基づいて当該受信側の電子機器のパラメータ設定を変更するようになされる。
【００３３】
この構成によって、パラメータ設定操作する側の電子機器と機種が相違しても、設定パラメータを容易に変更することができ、全機種の同じ設定項目を同じ値に設定することができる。これにより、従来方式のようにサービスマンや管理者が現場まで出向き、一台一台の電子機器に対して管理・点検を行う手間を減らすことができる。
【００３４】
本発明に係るコンピュータ処理可能なプログラム及び記録媒体によれば、ネットワークに接続された複数の電子機器のパラメータ設定を一括して共通したパラメータ設定に変更することができる。しかも、パラメータ設定操作する側の電子機器の機種と、パラメータ設定操作される側の電子機器の機種とが相違しても、一斉にパラメータを変更することができ、全機種の同じ設定項目を同じ値に容易に設定することができる。
【発明を実施するための最良の形態】
【００３５】
続いて、この発明に係る情報処理システム、電子機器、情報処理方法、コンピュータ処理可能なプログラム及び記録媒体の一実施例について、図面を参照しながら説明をする。
【００３６】
図１は本発明に係る各実施例としての情報処理システムを応用したリモートメンテナンスシステム１の構成例を示す概念図である。
【００３７】
図１に示すリモートメンテナンスシステム１は、ネットワークに接続可能な電子機器の設定項目を指定する設定識別情報（以下パラメータ識別子ＩＤという）を処理するシステムである。この例でリモートメンテナンスシステム１には、情報管理システム１００及びビデオ編集システム２００がパラメータ設定の遠隔管理下に置かれている。ここに、パラメータとは、電子機器のある機能の調整用変数（媒介変数）をいい、パラメータには、当該電子機器の電源をオン・オフするタイマ情報や、その機能を調整する機能調整情報や、その設定項目を指定する指定情報が含まれる。設定項目とは、パラメータ識別子ＩＤに対応付けられた電子機器の所定機能の調整属性をいうものとする。
【００３８】
例えば、電子機器が放送局等に装備されるビデオテープレコーダ（ＶＴＲ）や編集機等である場合、設定項目には、ビデオテープの頭出し時間を設定するプリロールタイム（PRIROLL TIME）、ビデオ画像の水平位置を設定するキャラクタＨ−ポジション（CHARACTER H-POSITION）、その垂直位置を設定するキャラクタＶ−ポジション（CHARACTER V-POSITION）が含まれる。
【００３９】
この例で情報管理システム１００は、ネットワーク１０１，１０２、パーソナルコンピュータ（以下パソコンという）１０３、アクセスポイント１０４、ハブ１０５、ビデオカメラ１０６、ＩＰカメラ１０７、プリンタ１０８，１０９を備えて構成される。
【００４０】
パソコン１０３は、パラメータ設定操作する側の電子機器の一例であり、一元遠隔管理装置（管理ステーション；ＳＮＭＰマネージャ）を構成し、リモートメンテナンスに必要な制御ソフトウエア３０１を有している。制御ソフトウエア３０１は、コンピュータ処理可能な記録媒体に格納され、一元遠隔管理装置対多数の監視対象機器（ＳＮＭＰエージェント）の一括パラメータ設定処理を実現するプログラムである。プログラムは、例えば、パラメータ設定操作するパソコン１０３からパラメータ識別子ＩＤを受信するステップと、受信したパラメータ識別子ＩＤを解析するステップと、解析されたパラメータ識別子ＩＤを当該監視対象機器のパラメータ識別子ＩＤに変換するステップと、変換後のパラメータ識別子ＩＤに対応付けられた設定項目の調整内容に基づいて当該監視対象機器のパラメータ設定を変更するステップとを有している。
【００４１】
このプログラムは、コンピュータ処理可能なＣＤＲＯＭ等に記述され、監視対象機器にダウンロード可能となされる。制御ソフトウエア３０１によれば、ネットワークに接続された複数の監視対象機器のパラメータ設定を一括して共通したパラメータ設定に変更することができる。しかも、パラメータ設定操作するパソコン１０３の遠隔管理下に置かれている監視対象機器の機種と、当該監視対象機器の機種とが相違しても、一斉にパラメータを変更することができ、全機種の同じ設定項目を同じ値に容易に設定することができる。
【００４２】
パソコン１０３は通信手段を構成するネットワーク１０１に接続される。ネットワーク１０１は、通信接続装置を構成するハブ１０５を通じてネットワーク１０２に接続される。ネットワーク１０２には、ビデオカメラ１０６、ＩＰカメラ１０７、プリンタ１０８及び１０９が接続される。ビデオカメラ１０６、ＩＰカメラ１０７、プリンタ１０８及び１０９はリモートメンテナンスの監視対象機器である。これらの監視対象機器内には情報変換テーブルが備えられ、パラメータ設定操作するパソコン１０３のパラメータ識別子ＩＤを当該監視対象機器のパラメータ識別子ＩＤに変換するようになされる。
【００４３】
ネットワーク１０１は、通信手段を構成するアクセスポイント１０４に接続される。情報管理システム１００のアクセスポイント１０４は、ビデオ編集システム２００のアクセスポイント２０１との間で無線通信処理がなされる。これらのネットワーク１０１、１０２、２０２、アクセスポイント１０４、２０１、ハブ１０５等の通信手段は、パラメータ設定変更時、制御ソフトウエア３０１によって通信可能な状態となされる。ネットワーク１０１、１０２、２０２には、ＴＣＰ／ＩＰネットワークが使用される。
【００４４】
ビデオ編集システム２００は、放送局等に適用され、複数フロアや編集室・ラック室等にＶＴＲや編集機、スイッチャー等の様々な映像機材が数多く設置される。この例で、ビデオ編集システム２００のアクセスポイント２０１には、ネットワーク２０２が接続される。ネットワーク２０２には、例えば、１台のオシロスコープ２０３と、３台のビデオテープレコーダ（以下ＶＴＲという）２０４〜２０６が接続される。オシロスコープ２０３はビデオ編集時に波形観察に使用される。
【００４５】
ＶＴＲ２０４〜２０６は、パラメータ設定操作される受信側の電子機器の一例である。ＶＴＲ２０４〜２０６等は、同一機種及び異機種の範疇に含まれるが、例えば、Ａ社製のＶＴＲのパラメータと、Ｂ社製のＶＴＲのパラメータとが異なる場合が多々ある。
【００４６】
ＶＴＲ２０４〜２０６等は、パラメータ設定操作するパソコン１０３からパラメータ識別子ＩＤを受信し、ここで受信したパラメータ識別子ＩＤを解析し、ここに解析されたパラメータ識別子ＩＤを当該ＶＴＲ（以下監視対象機器ともいう）のパラメータ識別子ＩＤに変換し、変換後のパラメータ識別子ＩＤに対応付けられた設定項目の調整内容に基づいて当該ＶＴＲのパラメータ設定を変更するようになされる。これらＶＴＲ２０４〜２０６等の監視対象機器内には情報変換テーブルが備えられ、パラメータ設定操作するパソコン１０３のパラメータ識別子ＩＤを当該監視対象機器のパラメータ識別子ＩＤに変換するようになされる。
【００４７】
また、ＶＴＲ２０４〜２０６の監視対象機器では、設定項目の調整内容が解析され、ここに解析された設定項目の調整内容が当該ＶＴＲ２０４〜２０６の調整内容に変換され、変換後の調整内容に基づいて当該ＶＴＲ２０４〜２０６のパラメータ設定を変更するようになされる。ＶＴＲ２０４〜２０６は、パラメータ設定変更後にビデオ編集操作するように取り扱われる。
【００４８】
次に、本発明者らが提案するＳＭＤＰ（Status Monitoring and Diagnostics Protocol）に準拠したＩＳＲ（Interactive Status Reporting Protocol）により、ＶＴＲ設定パラメータをダウンロードする機能について、その例を挙げて説明する。
【００４９】
この例では、ＶＴＲ２０４〜２０６等のある機能の調整用変数に、パラメータ識別子ＩＤを定義することで、このパラメータ識別子を指定してのパラメータ設定変更を実現できるようにした。この例で、ある機能の調整用パラメータの識別子ＩＤを定義する場合、以下のような方法を採っている。
【００５０】
ｉ．同一メーカー内の同一カテゴリ（プロジェクタ等のカテゴリ毎）内でも、監視対象機器の機種が異なる場合は、同じ機能を調整するためのパラメータに対して異なる識別子ＩＤを割り当てる。
【００５１】
ii．同一メーカー内の同一カテゴリ（ＶＴＲ、スイッチャー等）の機種に関して、監視対象機器の機種が同一である場合は、同じ設定を行うパラメータについては、同じ識別子ＩＤを割り当てる。
【００５２】
iii．各メーカー間で、同一カテゴリの全機種について、ある設定項目を指定するパラメータには、共通した識別子ＩＤを定義するようにした。つまり、監視対象機器が同一範疇の機種である場合は、当該監視対象機器の同じ機能を調整するための設定項目に対して共通のパラメータ識別子ＩＤを割り当てる。
【００５３】
本発明は、ii及びiiiの定義方式を採用することにより、効率的且つ有効に機能するようになる。ＶＴＲ２０４〜２０６では、上記iiに準拠している。
【００５４】
この方式を採用すると、次のような利点が得られる。
ｉ．同一機種及び異機種を問わず、多数存在する各種パラメータを、識別子ＩＤを使用してユニークに特定できるようになる。
ii．異機種間でも、同一設定項目が同一識別子ＩＤで表現できるので、監視対象機器側のアプリケーションが共通化できるようになる。
iii．異機種間でも、同一設定項目が同一識別子ＩＤで表現できるので、監視対象機器を制御するソフトウエアを共通化できるようになる。
iv．複数台の監視対象機器の設定状況の差異を容易に識別できるようになる。
【００５５】
同じ設定項目をあらわす「パラメータ値の意味づけ」と「パラメータ取得範囲」が同じであるが、パラメータ識別子ＩＤ」が機種毎に独自に定義されている場合には、同じ設定項目を変更する場合であっても、それぞれ機種毎に該当するパラメータ識別子を指定して、変更命令を実行する必要がある。表１は設定項目と、機種Ａ及び機種Ｂのパラメータ識別子ＩＤと、「パラメータ値の意味づけ・パラメータ取得範囲」を示したものであり、上位の情報変換テーブルの内容例を示している。
【００５６】
【表１】
2006079443.tif 000003
【００５７】
上記のような機種の異なる監視対象機器である場合に、機種Ａ，Ｂを同じパラメータ設定に揃えるためには、それぞれに対して異なるコマンドを実行する必要がある。
【００５８】
機種Ａへのコマンドは、
１０００００＝５，１５０００２＝１，１５０００３＝０
である。機種Ｂへのコマンドは、
３００００１＝５，３００００２＝１，３００００３＝０
である。
【００５９】
一方、「パラメータ識別子（ＩＤ）」の定義が同じでも、「パラメータ値の意味づけ」が異なる場合、例えば、機種Ｃ，Ｄを同じパラメータ設定に揃えるためには、それぞれに対して異なるコマンドを実行する必要がある。表２は設定項目と、パラメータ識別子ＩＤと、機種Ｃ及び機種Ｄの「パラメータ値の意味づけ」を示したものであり、下位階層の情報変換テーブルの内容例を示している。
【００６０】
【表２】
2006079443.tif 000004
【００６１】
表２のような機種Ｃ及び機種Ｄが「パラメータ値の意味づけ」の異なる監視対象機器である場合に、機種Ｃ，Ｄを同じパラメータ値に設定を揃えるためには、それぞれに対して異なるコマンドを実行する必要がある。
【００６２】
機種Ｃへのコマンドは、
１０００００＝５，１５０００２＝１０，１５０００３＝２０
である。
【００６３】
機種Ｄへのコマンドは、
１０００００＝１，１５０００２＝１  ，１５０００３＝２
となる。
【００６４】
なお、異機種であっても、同じ設定項目をあらわす「パラメータ識別子（ＩＤ）」、「パラメータ値の意味づけ」が同じ場合には、監視対象の全機種のパラメータ設定を揃えるために実行するコマンドは、次の１種類、すなわち、
共通コマンド；１０００００＝５，１５０００２＝１，１５０００３＝２
を準備すればよい。
【００６５】
また、機種によっては、同一の設定パラメータでも「取得範囲」が狭かったり、広かったりする場合も考えられるが、取得範囲外のパラメータ値が指定された場合には、監視対象機器＃１等からパソコン１０３へＮＡＣＫ（否定）応答等を実行し、制御システム側に失敗を通知することにより、異機種間での共通コマンドによる設定を実現できるようになる。通信フォーマットは、対象となる全機種で共通化されていれば、プロトコルの形式（ＳＮＭＰ，ＨＴＴＰ，独自プロトコル等）に関わらず、同様に適用できる。
【００６６】
例えば、ＳＭＤＰに準拠したＩＳＲによるＶＴＲ以外の例として、ＳＮＭＰに準拠したプロトコルの場合、オブジェクトＩＤを指定することで該当するパラメータがグローバルユニークに特定される。パラメータの取り得る範囲やパラメータ値の意味づけ（調整内容）もＳＭＩに準じて定義されているため、そのオブジェクトをサポートしている機種であれば、メーカー・機種に依存せずに、同様の手順でパラメータ設定の変更を実行できるようになる。
【００６７】
例えば、ＳＮＭＰ  ＭＩＢ−２  システムグループの変数は、
オブジェクトＩＤ：１．３．６．１．２．１．１．６
オブジェクト名：．ｉｓｏ．ｏｒｇ．ｄｏｄ．ｉｎｔｅｒｎｅｔ．ｍｇｍｔ．ｍｉｂ−２．ｓｙｓｔｅｍ．ｓｙｓＬｏｃａｔｉｏｎ
オブジェクト型：Ｄｉｓｐｌａｙ  Ｓｔｒｉｎｇ（ＳＩＺＥ（０．．２５５））で示される。
【００６８】
この例では、以下の条件を満たす場合に、複数の監視対象機器＃１〜＃Ｎに対してパラメータ設定の一括変更を実現できるようになる。
ｉ．図１に示したように、ＶＴＲ２０４〜２０６等の監視対象機器が制御ソフトウエア３０１に基づいて通信可能な状態にある場合、
ii．同一パラメータ識別子ＩＤで表される設定パラメータの定義が対象となる全機器で統一されている場合、及び、
iii．全機器において、設定パラメータ変更の通信プロトコル（ＳＮＭＰ，ＨＴＴＰ，ＦＴＰ等）が統一されている場合である。
【００６９】
図２は、リモートメンテナンスシステム１におけるパラメータ設定変更時の通信処理例（その１）を示すブロック図である。
【００７０】
図２に示す通信処理例によれば、上述した制御ソフトウエア３０１を有するパソコン１０３は、例えば、ＶＴＲ２０４等の監視対象機器＃１との間で１スレッド毎に独立して通信処理を実行する。例えば、制御ソフトウエア３０１には、パラメータ識別子ＩＤとして共通コマンド１０００００＝５，１５０００２＝１、１５０００３＝２，・・・が準備される。
【００７１】
更に、パソコン１０３のパラメータ設定窓口として、通信用スレッド＃Ｓ１及び通信用スレッド＃Ｓ２・・・が監視対象機器毎に準備される。例えば、パラメータ設定変更時、通信用スレッド＃Ｓ１は、監視対象機器＃１に接続され、パラメータ識別子ＩＤ等の共通コマンドが発行される。監視対象機器＃１では、パソコン１０３からパラメータ識別子ＩＤを受信し、ここに受信したパラメータ識別子ＩＤを解析し、ここで解析されたパラメータ識別子ＩＤを監視対象機器＃１のパラメータ識別子ＩＤに変換し、変換後のパラメータ識別子ＩＤに対応付けられた設定項目の調整内容に基づいて監視対象機器＃１のパラメータ設定を変更する。監視対象機器＃１でパラメータ設定が変更されると、監視対象機器＃１から通信用スレッド＃Ｓ１にレスポンス（応答通知）が返信される。
【００７２】
多数の異機種が混在した監視対象機器群に対しては、通信用スレッド＃Ｓ１の他にスレッド＃Ｓ２・・・が準備され、パラレル処理がなされる。例えば、パラメータ設定変更時、通信用スレッド＃Ｓ１は、監視対象機器＃１に接続され、通信用スレッド＃Ｓ２は、監視対象機器＃２に接続され、各々の監視対象機器＃１、＃２等に、パラメータ識別子ＩＤ等の共通コマンドが発行される。監視対象機器＃１及び＃２等では、パソコン１０３からパラメータ識別子ＩＤを各々受信し、ここに受信したパラメータ識別子ＩＤを各々解析し、ここで解析されたパラメータ識別子ＩＤを監視対象機器＃１や＃２のパラメータ識別子ＩＤに各々変換し、変換後の各々のパラメータ識別子ＩＤに対応付けられた設定項目の調整内容に基づいて監視対象機器＃１や＃２等でパラメータ設定を変更するようになされる。
【００７３】
このように、パラメータ設定が並列処理できる場合には、制御ソフトウエア３０１に準備された１つの共通コマンドをＮ個の監視対象機器＃１、＃２・・・に対して発行し、一括してパラメータ設定を変更できるようになる。監視対象機器＃ｉ等でパラメータ設定が変更されると、監視対象機器＃１、＃２から通信用スレッド＃Ｓ１、＃Ｓ２等にレスポンス（応答通知）が返信される。図２に示した通信処理例は、通信プロトコル（ＳＮＭＰ，ＨＴＴＰ，ＦＴＰ等）に関わらず応用可能である。
【００７４】
図３は、リモートメンテナンスシステム１におけるパラメータ設定変更時の通信処理例（その２）を示すブロック図である。
【００７５】
図３に示す通信処理例によれば、上述した制御ソフトウエア３０１を有するパソコン１０３は、Ｎ台の監視対象機器＃ｉ（ｉ＝１〜Ｎ）に対して、共通コマンドをシーケンシャル処理するようになされる。制御ソフトウエア３０１には、パラメータ識別子ＩＤとして共通コマンド１０００００＝５，１５０００２＝１、１５０００３＝２，・・・が準備される。パソコン１０３のパラメータ設定窓口として、１個の通信用スレッド３０２が準備される。
【００７６】
この例では、第１番目に最初のＶＴＲ２０４等の監視対象機器＃１との間で通信処理を実行する。例えば、パラメータ設定変更時、通信用スレッド３０２が監視対象機器＃１に接続され、パラメータ識別子ＩＤ等の共通コマンドが発行される。監視対象機器＃１では、パソコン１０３からパラメータ識別子ＩＤを受信し、ここに受信したパラメータ識別子ＩＤを解析し、ここで解析されたパラメータ識別子ＩＤを監視対象機器＃１のパラメータ識別子ＩＤに変換し、変換後のパラメータ識別子ＩＤに対応付けられた設定項目の調整内容に基づいて監視対象機器＃１のパラメータ設定を変更する。監視対象機器＃１でパラメータ設定が変更されると、監視対象機器＃１から通信用スレッド＃Ｓ１にレスポンス（応答通知）が返信される。
【００７７】
その後、第２番目にＶＴＲ２０５等の監視対象機器＃２との間で通信処理を実行する。例えば、パラメータ設定変更時、通信用スレッド３０２が監視対象機器＃２に接続され、パラメータ識別子ＩＤ等の共通コマンドが発行される。監視対象機器＃２では、パソコン１０３からパラメータ識別子ＩＤを受信し、ここに受信したパラメータ識別子ＩＤを解析し、ここで解析されたパラメータ識別子ＩＤを監視対象機器＃１のパラメータ識別子ＩＤに変換し、変換後のパラメータ識別子ＩＤに対応付けられた設定項目の調整内容に基づいて監視対象機器＃１のパラメータ設定を変更する。監視対象機器＃１でパラメータ設定が変更されると、監視対象機器＃１から通信用スレッド＃Ｓ１にレスポンス（応答通知）が返信される。
【００７８】
このように本発明に係る各実施例としてのリモートメンテナンスシステムによれば、ネットワークに接続可能な監視対象機器の設定項目を指定するパラメータ識別子ＩＤを処理する場合に、パラメータ設定操作するパソコン１０３と、例えば、監視対象機器＃１〜＃３を成す３台のＶＴＲ２０４〜２０６とが、ネットワーク１０１、アクセスポイント１０４，２０１及びネットワーク２０１により接続される。その後、ＶＴＲ２０４〜２０６は、パソコン１０３からパラメータ識別子ＩＤを受信する。ＶＴＲ２０４等は受信したパラメータ識別子ＩＤを解析し、ここで解析されたパラメータ識別子ＩＤを当該ＶＴＲ２０４のパラメータ識別子ＩＤに変換する。ＶＴＲ２０４は、変換後のパラメータ識別子ＩＤに対応付けられた設定項目の調整内容に基づいて当該ＶＴＲ２０４のパラメータ設定を変更するようになされる。
【００７９】
従って、ネットワーク１０１、アクセスポイント１０４，２０１及びネットワーク２０１に接続された３台のＶＴＲ２０４〜２０６のパラメータ設定を一括して共通したパラメータ設定に変更することができる。しかも、パラメータ設定操作するパソコン１０３の遠隔管理下に置かれた、例えば、ＶＴＲ２０４の機種と、ＶＴＲ２０５の機種とが相違しても、一斉にパラメータを変更することができ、全機種の同じ設定項目を同じ値に容易に設定することができる。
【００８０】
これにより、従来方式のようにサービスマンや管理者が現場まで出向き、一台一台のＶＴＲ等の電子機器に対して管理・点検を行う必要を低減することができるとともに、一元管理・運用が容易に行えるようになることで、現場でのサポートコストを抑制することができる。
【００８１】
例えば、放送局では、定期点検やトラブルによるＶＴＲや編集機等の代替え機との入れ替えにより、やむを得ずＶＴＲ２０４等のパラメータが変わってしまう場合がある。そのような場合に、パラメータ設定操作するパソコン１０３の遠隔管理下の映像機材に対して、予め定期的にパラメータをアップロード（収集）しておき、必要に応じて、上記パソコン１０３の遠隔管理下の複数の映像機材に対して一括でパラメータ識別子ＩＤをダウンロードすることにより、所定の設定にて各種ＶＴＲや編集機等を運用できるようになる。
【００８２】
本発明によれば、一元遠隔管理装置対多数の監視対象機器＃１〜＃Ｎのパラメータ設定の一括処理を制御ソフトウエア３０１によって実現できるので、情報管理システム１００や、ビデオ編集システム２００、管理機器群のメンテナンスに掛ける工数を削減することができ、なおかつ、複数のＶＴＲやビデオ編集機を個別に設定する際に発生しやすい、管理担当者の人為的ミスによる誤設定・誤操作を回避できるようになる。
【００８３】
また、本発明に係るリモートメンテナンスシステム１は、放送機器に関わらず多くの電子機器を一括して同じ設定にする場合にも応用でき、民生機器に付属している赤外線式リモートコントローラでの設定変更や、オフィスに配備されたネットワークプリンタの自己診断や設定・モードの変更を深夜に一括実行させたり、各地に配置されたベンダー（自動販売機）の管理・運用などにも利用可能である。
【００８４】
なお、本発明方式は、パラメータ設定処理の統一規格が構築されるまでの過渡期において、その効果をより発揮でき、パラメータ設定処理の統一化に寄与するところが大きい。メーカー側としても、企業間で統一したパラメータ規格を実現することにより、他社製品を含めた機材管理・運用が容易になり、より守備範囲の広いサポートサービスが提供できるようになるので、これまで以上にカスタマとのサポート契約の内容に厚みを持たせることができる。
【００８５】
図４は、本発明に係る各実施例としての監視対象機器＃ｉの構成例を示すブロック図である。
【００８６】
図４に示す監視対象機器＃ｉは、パラメータ設定操作するパソコン１０３とネットワーク接続可能な電子機器であって、所定機能の調整属性である設定項目を指定するパラメータ識別子ＩＤを処理することにより、パラメータ設定操作されるものである。監視対象機器＃ｉに関しては、ＶＴＲや、ビデオ編集機、プリンタ等の他に、パラメータ識別子ＩＤがダウンロード可能な全ての電子機器を対象としている。
【００８７】
監視対象機器＃ｉは、機能ブロック１０、制御装置２０、操作部３０、モニタ４０、ハードディスク（以下ＨＤＤ５０という）、ネットワークインターフェース（Ｉ／Ｆ）部６０及びデータバス７０を備えて構成される。機能ブロック１０は、当該監視対象機器＃ｉがＶＴＲである場合、ビデオテープ装填機構や、磁気記録再生装置を有して構成される。当該機器がビデオ編集機である場合、編集用の２組のビデオテープ装填機構や、磁気記録再生装置を有して構成される。当該機器がプリンタである場合、給紙機構や画像形成装置等を有して構成される。
【００８８】
制御装置２０は、ＲＯＭ（Read Only Memory）２１、ＲＡＭ（Random Access Memory）２２、ＥＥＰＲＯＭ２３、Ｉ／Ｏインターフェース部２４、ＣＰＵ（Central Processing Unit；中央処理ユニット）２５、データバスコントローラ２６及び画像処理部２７を有して構成される。
【００８９】
ＲＯＭ２１には当該機器全体を制御するためのシステムプログラムデータＤ０が格納される。ＲＡＭ２２はワークメモリとして使用され、例えば、本発明で採用される共通コマンド（ＳＮＭＰコマンド）等を一時記憶するようになされる。ＣＰＵ２５は電源がオンされると、ＲＯＭ２１からシステムプログラムデータＤ０を読み出してシステムを起動し、操作部３０からの操作データＤ３に基づいて当該機器全体を制御するようになされる。
【００９０】
ＥＥＰＲＯＭ２３は記憶手段の一例であり、本発明に係るコンピュータ処理可能なプログラムＤＰが格納される。プログラムＤＰは、当該監視対象機器＃ｉの所定機能の調整属性である設定項目を指定するパラメータ識別子ＩＤを処理するプログラムデータである。プログラムＤＰは、パラメータ設定操作するパソコン１０３からパラメータ識別子ＩＤを受信するステップと、受信したパラメータ識別子ＩＤを解析するステップと、解析されたパラメータ識別子ＩＤを監視対象機器＃ｉのパラメータ識別子ＩＤに変換するステップと、変換後のパラメータ識別子ＩＤに対応付けられた設定項目の調整内容に基づいて監視対象機器＃ｉのパラメータ設定を変更するステップとを有している。
【００９１】
このプログラムＤＰによれば、当該監視対象機器＃ｉがネットワークに接続されると、ＣＰＵ２５によって定期的又は不定期に受信処理がなされ、パラメータ設定を一括して共通したパラメータ設定に変更できるようになる。しかも、パラメータ設定操作するパソコン１０３の遠隔管理下の監視対象機器＃ｉの機種と、当該監視対象機器＃ｉの機種とが相違しても、一斉にパラメータを変更することができ、全機種の同じ設定項目を同じ値に容易に設定することができる。
【００９２】
この例でＥＥＰＲＯＭ２３には、上述のプログラムＤＰの他にコマンド（情報）変換テーブルが備えられる。コマンド変換テーブルは、パラメータ設定操作するパソコン１０３の遠隔管理下に置かれた他社（Ｂ社）の機器のパラメータ識別子ＩＤを自社（Ａ社）の当該機器のパラメータ識別子ＩＤに変換する際に使用される。Ｂ社→Ａ社変換用のコマンド変換テーブルは、例えば、予め他社から自社へ電子データにて提供され、監視対象機器＃ｉ側のＥＥＰＲＯＭ２３等に読み込ませておき、ＣＰＵ２５が取り扱える状態になされる。コマンド変換テーブルは、例えば、表１及び２に示した内容の通りである。この際の変換処理では、パソコン１０３の遠隔管理下に置かれた他社の機器のパラメータ識別子ＩＤをアドレスにして、自社の当該機器のパラメータ識別子ＩＤを読み出すような処理である。
【００９３】
ＣＰＵ２５にはＩ／Ｏインターフェース部２４が接続され、操作データＤ３や表示データＤ２の入出力を制御するようになされる。Ｉ／Ｏインターフェース部２４には操作部３０及びモニタ４０が接続される。操作部３０は、キーボードやマウス等の入力ツール又はタッチパネル、ジョグダイヤル等を有し、当該機器がＶＴＲの場合、記録、再生、早送り、早戻し、停止等のボタンスイッチが装備される。これらの操作ツールがオペレータによって操作される。操作指示によって得られる操作データＤ３はＩ／Ｏインターフェース部２４を通じてＣＰＵ２５へ出力される。
【００９４】
モニタ４０には当該機器がＶＴＲの場合、表示データＤ２に基づいて記録映像や再生映像が表示される。ビデオ編集機の場合には、編集映像が表示される。プリンタの場合には、プリンタ条件を選択するための操作選択画面等が表示される。モニタ４０には液晶表示装置やＰＤＰ等の平面表示装置又はブラウン管表示装置が使用される。
【００９５】
ＣＰＵ２５にはデータバス７０が接続される。データバス７０には受信手段の一例となるネットワークＩ／Ｆ部６０が接続され、図１に示したネットワーク２０２等に接続され、パラメータ設定操作するパソコン１０３からパラメータ識別子ＩＤを受信処理するようになされる。パラメータ識別子ＩＤは、ネットワークＩ／Ｆ部６０からＨＤＤ５０又はＣＰＵ２５へ転送される。
【００９６】
データバス７０にはデータバスコントローラ２６やＨＤＤ５０が接続され、機能ブロック１０や、制御装置２０で処理されたデータや、外部から取り込んだコマンドデータＤ１をＨＤＤ５０に格納するように制御される。ハードディスク（ＨＤＤ５０）には、機能ブロック１０や、制御装置２０で処理されたデータの他に、パソコン１０３からダウンロードしたパラメータ識別子ＩＤを格納するようになされる。画像処理部２７はＨＤＤ５０へ格納するデータを圧縮符号化したり、ＨＤＤ５０から読み出したデータを復号化伸長したりする画像処理を実行する。
【実施例１】
【００９７】
図５は、第１の実施例に係る図４に示した監視対象機器＃ｉ側の制御装置２０内に構築される制御ブロックの構成例（受信時）を示す図であり、同時に、制御ソフトウエア３０１からのコマンドデータＤ１をネットワークＩ／Ｆ部６０を経由で受信した後、ＣＰＵ２５内に取り込まれたコマンドデータＤ１の流れを示している。
【００９８】
この実施例で、ＣＰＵ２５内には、コマンド変換ブロック５５が設けられ、パラメータ設定を一括して書き込み可能にするようになされる。通常コマンド形式は、設定値を指定するパラメータ識別子（ＩＤ）と設定値（ＶＡＬＵＥ）から構成される。コマンド変換を行うためには、両者の違いを吸収する仕組みを持ったコマンド変換ブロック５５を設けることで実現できる。
【００９９】
この例で、ネットワーク等の外部から入力されたコマンドデータＤ１は、データバス７０を経由してＣＰＵ２５に転送される。図５に示す制御装置２０内には、図４に示したＣＰＵ２５を中心にして、データ解析ブロック５１、データ分離／合成部５２、その他のブロック５３、コマンド解析ブロック５４、コマンド変換ブロック５５及びコマンド実行ブロック５６が構築される。
【０１００】
データ解析ブロック５１は解析手段の一部を構成し、ネットワークＩ／Ｆ部６０によりコマンドデータＤ１を受信してデータ内容の解析処理を実行する。コマンドデータＤ１は、例えば、ヘッダ部、パラメータ識別子ＩＤ、アプリケーション等のデータ（ＤＡＴＡ）及びテイラー部から構成される。データ解析ブロック５１は、コマンドデータＤ１を解析してパラメータ識別子ＩＤや、データを抽出（検出）する。
【０１０１】
データ解析ブロック５１には、データ分離／合成部５２が接続され、データ解析処理されたコマンドデータＤ１からヘッダ部やテイラー部が取り除かれ、例えば、パラメータ識別子ＩＤとアプリケーション等のデータとに振り分けられる。換言すると、データ分離／合成部５２は、コマンドデータＤ１をデータ部分のみの状態に変換する。
【０１０２】
データ分離／合成部５２にはその他のブロック５３及びコマンド解析ブロック５４が接続される。その他のブロック５３では、コマンドデータＤ１から分離されたアプリケーション等のデータ処理を実行する。例えば、Ｗｅｂサーバーを搭載した機器等の場合には、ＨＴＴＰプロトコル等のコマンドデータＤ１が入力されることが考えられ、そのコマンドデータＤ１はＷｅｂサーバープロセスに渡されて処理される。
【０１０３】
コマンド解析ブロック５４は、データ解析処理されたパラメータ識別子ＩＤを受信してコマンド解析処理を実行する。コマンド解析処理では、当該コマンドデータＤ１が自社（Ａ社）のコマンドか、又は、他社（Ｂ社）のコマンドかを判別する。このコマンド解析ブロック５４では、パラメータ識別子ＩＤが自社のコマンドと一致するか否かによって、他社のコマンドである等を判別する。コマンドが自社コマンド以外の他社（Ｂ社）コマンドである場合には、コマンド変換ブロック５５を経由させることで、自社コマンドとして取り扱えるようになされる。コマンドが自社コマンドである場合には、コマンド変換ブロック５５はパスされる。
【０１０４】
コマンド解析ブロック５４にはコマンド変換ブロック５５が接続され、コマンドが自社コマンド以外の他社コマンドである場合に、コマンド解析ブロック５４によって解析されたパラメータ識別子ＩＤを当該機器のパラメータ識別子ＩＤに変換するようになされる。
【０１０５】
このパラメータ変換時、ＣＰＵ２５は、ＥＥＰＲＯＭ２３に格納されたコマンド変換テーブルを参照するようになされる。この際の変換処理では、Ｂ社→Ａ社変換用のコマンド変換テーブルは、予め他社から電子データにて提供され、監視対象機器＃ｉ側にＥＥＰＲＯＭ２３等に読み込ませておき、ＣＰＵ２５が取り扱える状態になされる。例えば、コマンド変換ブロック５５では、パソコン１０３の遠隔管理下に置かれた他社の監視対象機器のパラメータ識別子ＩＤをアドレスにして、Ａ社の当該機器のパラメータ識別子ＩＤを読み出すようになされる。その際に、現在のコマンドに対して［Ｂ社→Ａ社］変換が行われたことをＲＡＭ２２等に記憶するようになされる。
【０１０６】
コマンド解析ブロック５４にはコマンド変換ブロック５５の他にコマンド実行ブロック５６が接続される。コマンド変換ブロック５５は、変換後の自社（Ａ社）のコマンドをコマンド実行ブロック５６に転送する。この転送は、自社（Ａ社）のコマンドを実行するためである。自社のコマンド実行ブロック５６では、変換後のパラメータ識別子ＩＤに対応付けられた設定項目の調整内容に基づいて当該機器のパラメータ設定を変更する。
【０１０７】
この例では上述の処理の下位階層の処理として、コマンド解析ブロック５４は、パラメータ識別子ＩＤのコマンド解析処理後、更に、設定項目の調整内容を解析し、コマンド変換ブロック５５は、ここに解析された設定項目の調整内容を当該機器の調整内容に変換する。コマンド実行ブロック５６は、変換後の調整内容に基づいて当該機器のパラメータ設定を変更するようになされる（表２参照）。
【０１０８】
続いて、本発明に係る情報処理方法について説明をする。図６は、第１の実施例としてのパラメータ設定例を示すフローチャートである。
【０１０９】
この実施例では、図１に示したようなリモートメンテナンスシステム１において、ネットワークに接続された、監視対象機器＃ｉの設定項目を指定するパラメータ識別子ＩＤを処理する場合を前提とする。パラメータ設定操作するパソコン１０３と、監視対象機器＃ｉとは通信手段を通じて接続される。この例では監視対象機器＃ｉがＶＴＲ２０４である場合を例に挙げる。
【０１１０】
図１に示した情報管理システム１００とビデオ編集システム２００とは、アクセスポイント１０４及びアクセスポイント２０１との間はもちろん、これらのネットワーク１０１、１０２、２０２等の通信手段は、パラメータ設定変更時、制御ソフトウエア３０１によって通信可能な状態となされる。
【０１１１】
これらをパラメータ設定の処理条件にして、図６に示すフローチャートのステップＡ１でＶＴＲ２０４は、パラメータ設定操作するパソコン１０３から自社又は他社のパラメータ識別子ＩＤを含んだコマンドデータＤ１を受信する。このとき、ネットワークＩ／Ｆ部６０は、ネットワーク２０２からコマンドデータＤ１を受信して取り込み、データバス７０を通じてコマンドデータＤ１をＣＰＵ２５に転送する。
【０１１２】
次に、ステップＡ２に移行して、データ解析ブロック５１は、ネットワークＩ／Ｆ部６０によりコマンドデータＤ１を受信してデータ内容の解析処理を実行する。このとき、データ解析ブロック５１は、ヘッダ部、パラメータ識別子ＩＤ、アプリケーション等のデータ及びテイラー部から構成されるコマンドデータＤ１を解析してパラメータ識別子ＩＤや、データを抽出（検出）する。データ分離／合成部５２では、データ解析処理されたコマンドデータＤ１からヘッダ部やテイラー部が取り除かれ、パラメータ識別子ＩＤとアプリケーション等のデータとに振り分けられる。
【０１１３】
その他のブロック５３は、コマンドデータＤ１から分離されたアプリケーション等のデータ処理を実行する。例えば、Ｗｅｂサーバーを搭載したＶＴＲ２０４等の場合には、ＨＴＴＰプロトコル等のコマンドデータＤ１が入力される。そのコマンドデータＤ１はＷｅｂサーバープロセスに渡されて処理される。
【０１１４】
そして、ステップＡ３に移行して、コマンド解析ブロック５４は、データ解析処理されたパラメータ識別子ＩＤを受信してコマンド解析処理を実行する。コマンド解析処理では、当該コマンドデータＤ１が自社（Ａ社）のコマンドか、又は、他社（Ｂ社）のコマンドかを判別する。例えば、パラメータ識別子ＩＤが自社のコマンドと一致するか否かによって、他社のコマンドである等を判別する。
【０１１５】
コマンドが自社コマンド以外の他社（Ｂ社）コマンドである場合には、ステップＡ４に移行して、コマンド変換ブロック５５は、コマンド解析ブロック５４によって解析された他社のＶＴＲのパラメータ識別子ＩＤを当該ＶＴＲ２０４のパラメータ識別子ＩＤに変換するようになされる。このパラメータ変換時、ＣＰＵ２５は、ＥＥＰＲＯＭ２３に格納されたコマンド変換テーブルを参照するようになされる。この際の変換処理では、パソコン１０３の遠隔管理下に置かれた他社のＶＴＲのパラメータ識別子ＩＤをアドレスにして、Ａ社の当該ＶＴＲ２０４のパラメータ識別子ＩＤを読み出すようになされる。その際に、現在のコマンドに対して［Ｂ社→Ａ社］変換が行われたことをＲＡＭ２２等に記憶するようになされる。このように、コマンド変換ブロック５５を経由させることで、自社コマンドとして取り扱えるようになされる。
【０１１６】
その後、ステップＡ５に移行してコマンド実行ブロック５６は、コマンド変換ブロック５５から変換後の自社（Ａ社）のコマンドの転送を受ける。自社のコマンド実行ブロック５６では、変換後の自社のパラメータ識別子ＩＤに対応付けられた設定項目の調整内容に基づいて当該ＶＴＲ２０４のパラメータ設定を変更するようになされる。
【０１１７】
なお、ステップＡ３でコマンドが自社コマンドであると判別された場合は、コマンド変換ブロック５５はパスされ、ステップＡ５に移行する。ステップＡ５でコマンド実行ブロック５６は、コマンド解析ブロック５４から自社（Ａ社）のコマンドの転送を受ける。自社のコマンド実行ブロック５６では、自社のパラメータ識別子ＩＤに対応付けられた設定項目の調整内容に基づいて当該ＶＴＲ２０４のパラメータ設定を変更するようになされる。
【０１１８】
このように本発明に係る第１の実施例としてのＶＴＲ及び情報処理方法によれば、設定項目を指定するパラメータ識別子ＩＤを処理する場合に、ＶＴＲ２０４のコマンド変換ブロック５５は、コマンド解析ブロック５４によって解析された他社のパラメータ識別子ＩＤを自社の当該ＶＴＲ２０４のパラメータ識別子ＩＤに変換する。コマンド実行ブロック５６は、変換後の自社のパラメータ識別子ＩＤに対応付けられた設定項目の調整内容に基づいて当該ＶＴＲ２０４のパラメータ設定を変更するようになされる。
【０１１９】
従って、パラメータ設定操作するパソコン１０３の遠隔管理下に置かれる他社のＶＴＲの機種が、自社のＶＴＲ２０４の機種と相違しても、設定パラメータを容易に変更することができ、全機種の同じ設定項目を同じ値に設定することができる。これにより、従来方式のようにサービスマンや管理者が現場まで出向き、一台一台の監視対象となったＶＴＲ２０４等に対して管理・点検を行う手間を減らすことができる。また、リモートメンテナンスシステム１において、似通ってはいるが異なった数多くの監視対象機器を要望する環境又は設定に、容易且つ効率的に変更できるようになる。
【実施例２】
【０１２０】
図７は第２の実施例としての制御装置２０内に構築される制御ブロックの構成例（応答時）を示す図である。
【０１２１】
図７に示すコマンド実行ブロック５６は、コマンドを実行した後、自社（Ａ社）のコマンド実行結果である自社（Ａ社）応答データをコマンド解析ブロック５４に出力する。コマンド解析ブロック５４は、ＲＡＭ２２を参照して、現在のコマンドに対して第１の実施例で説明したような［Ｂ社→Ａ社］変換が行われたか否かを判別する。［Ｂ社→Ａ社］変換が行われたコマンドである旨が判別された場合は、コマンド変換ブロック５５に自社応答データを出力する。
【０１２２】
コマンド変換ブロック５５は、自社応答データを他社（Ｂ社）の応答データに変換する。変換後の他社応答データはコマンド解析ブロック５４に転送される。コマンド解析ブロック５４では、他社応答データが他社のパラメータ識別子ＩＤと対応付けられる。なお、自社応答データを自社のパラメータ識別子ＩＤを取り扱うパソコン１０３に返信する場合は、コマンド変換ブロック５５での［Ｂ社→Ａ社］変換はパスされる。
【０１２３】
他社のパラメータ識別子ＩＤと対応付けられた他社応答データは、データ分離／合成部５２に出力される。データ分離／合成部５２では、必要に応じてその他のブロック５３で処理されたアプリケーションの結果データ等と、他社応答データとを合成する。合成後のデータはデータ解析ブロック５１に出力される。
【０１２４】
データ解析ブロック５１では、合成後のデータにヘッダ部やテイラー部分を付加され、ネットワーク等の外部に送信できるデータ構造に再編成される。再編成されたデータはコマンド応答データＤ４となる。データ解析ブロック５１は、所定のデータ構造に再編成された他社のコマンド応答データＤ４をＣＰＵ２５からデータバス７０に伝送する。ネットワークＩ／Ｆ部６０は、データバス７０を通じて伝送されてくる他社のコマンド応答データＤ４を外部へ送信される。コマンド応答が不要な場合には、上述した処理が省略される。
【０１２５】
図８はＶＴＲ設定パラメータに係るコマンド実行後の応答例を示すフローチャートである。
【０１２６】
この実施例では、図１に示したようなリモートメンテナンスシステム１において、ネットワークに接続されたＶＴＲ２０４等でＶＴＲ設定パラメータに係るコマンドが実行され、コマンド実行結果をパラメータ設定操作するパソコン１０３に応答する場合を例に挙げる。図１に示した情報管理システム１００とビデオ編集システム２００とは、アクセスポイント１０４及びアクセスポイント２０１との間はもちろん、これらのネットワーク１０１、１０２、２０２等の通信手段は、コマンド実行結果応答時、制御ソフトウエア３０１によって通信可能な状態となされる。
【０１２７】
これらをコマンド実行結果の応答処理条件にして、図８に示すフローチャートのステップＢ１でコマンド実行結果を応答するか否かが判別される。この際の判断基準は、パラメータ設定操作するパソコン１０３からの要求があれば応答する。その要求が無ければ応答しない。パソコン１０３からの要求は、パラメータ設定時にコマンドデータに記述される場合と、コマンド実行後に転送されてくる要求に対する場合とが含まれる。
【０１２８】
このようなコマンド実行結果の応答要求が有る場合は、ステップＢ２に移行して、図７に示したコマンド実行ブロック５６は、コマンドを実行した後、自社（Ａ社）のコマンド実行結果である自社（Ａ社）応答データをコマンド解析ブロック５４に出力する。その後、コマンド解析ブロック５４は、ステップＢ３でＲＡＭ２２を参照して、現在のコマンドに対して第１の実施例で説明したような［Ｂ社→Ａ社］変換が行われたか否かを判別する。ＲＡＭ２２を参照した結果、パラメータ設定操作時に［Ｂ社→Ａ社］変換が行われたコマンドである旨が判別された場合は、ステップＢ４に移行する。ステップＢ４でコマンド解析ブロック５４は、コマンド変換ブロック５５に自社応答データを転送する。
【０１２９】
次に、コマンド変換ブロック５５は、ステップＢ５で自社応答データを他社（Ｂ社）の応答データに変換する。変換後の他社応答データはコマンド解析ブロック５４に転送される。その後、ステップＢ６でコマンド解析ブロック５４は、他社応答データが他社のパラメータ識別子ＩＤと対応付けられる。なお、ステップＢ３で自社応答データを自社のパラメータ識別子ＩＤを取り扱うパソコン１０３に応答する場合は、コマンド変換ブロック５５での［Ｂ社→Ａ社］変換はパスされる。
【０１３０】
他社のパラメータ識別子ＩＤと対応付けられた他社応答データは、データ分離／合成部５２に出力される。そして、ステップＢ７で、データ分離／合成部５２では、その他のブロック５３で処理されたアプリケーションの結果データ等と、他社応答データとを合成するかが判別される。両者のデータを合成する場合は、ステップＢ８で両者のデータを合成した後のコマンド応答データＤ４がデータ解析ブロック５１に出力される。両者のデータを合成しない場合は、ステップＢ８をパスしてステップＢ９に移行する。データ分離／合成部５２から出力されるコマンド応答データＤ４はデータ解析ブロック５１に出力される。
【０１３１】
ステップＢ９でデータ解析ブロック５１は、合成後又は合成無しのコマンド応答データＤ４にヘッダ部やテイラー部分を付加し、ネットワーク等の外部に送信できるデータ構造に再編成される。その後、ステップＢ１０に移行してデータ解析ブロック５１は、所定のデータ構造に再編成された他社又は自社のコマンド応答データＤ４をＣＰＵ２５からデータバス７０に伝送する。ネットワークＩ／Ｆ部６０は、データバス７０を通じて伝送されてくる他社又は自社のコマンド応答データＤ４をパラメータ設定操作するパソコン１０３に送信される。なお、ステップＢ１でコマンド実行結果を応答しないと判別された場合には、上述した処理が省略される。
【０１３２】
このように本発明に係る第２の実施例としてのＶＴＲ及び情報処理方法によれば、パラメータ設定操作するパソコン１０３にコマンド実行結果を応答する場合、コマンド変換ブロック５５は、自社応答データを他社（Ｂ社）の応答データに変換する。変換後の他社のコマンド応答データＤ４は、コマンド解析ブロック５４、データ分離／合成部５２、データ解析ブロック５１及びネットワークＩ／Ｆ部６０を通じてパラメータ設定操作するパソコン１０３に送信するようになされる。
【０１３３】
従って、パラメータ設定操作するパソコン１０３の遠隔管理下に置かれる他社のＶＴＲの機種が、自社のＶＴＲ２０４の機種と相違しても、パラメータ設定実行結果を容易にパソコン１０３に応答することができる。これにより、従来方式のようにサービスマンや管理者が現場まで出向き、一台一台の監視対象となったＶＴＲ２０４等に対して管理・点検を行う手間を減らすことができる。
【実施例３】
【０１３４】
図９は第３の実施例としての制御装置２０内に構築される制御ブロックの構成例（ＯＩＤ；受信時）を示す図である。
【０１３５】
この実施例では、自社（Ａ社）及び他社（Ｂ社）の、ある監視対象機器＃ｉの電源オン／オフを行うコマンドが、ＭＩＢ（Management Information Base）上に定義されている場合であって、そのパラメータ識別子（ＩＤ）を変換する場合を例に挙げる。ＭＩＢは、監視対象機器＃ｉをデータベース化し、パラメータ等を効率的に検索及び設定するために、ネットワーク管理ソフトウエアが分野別のツリー構造に構築されたものである。
【０１３６】
ネットワーク業界標準の監視プロトコルとして挙げられるＳＮＭＰ（Simple Network Management Protocol）では、ＭＩＢ上にオブジェクト（設定値）が定義され、そのオブジェクトを識別するために、オブジェクトＩＤ（ＯＩＤ）が用いられる。実在するＯＩＤの例としては、「.1.3.6.1.4.1.122.8501.2.2.4.1.3.iso(1).org(3).dod(6).internet(1).private(4).enterprises(1).xxxx(122).professionalV1(8501).proV1Common(2).proV1AgentInfo(2).proV1TrapDestTable(4).proV1TrapDestEntry(1).proV1TrapDestEntryStatus(3)」が挙げられる。
【０１３７】
この例で、Ａ社及びＢ社はそれぞれ、ある監視対象機器＃ｉの設定項目を表３に示すＯＩＤで定義する。この例では、ＯＩＤ（パラメータ識別子ＩＤ＋設定項目）に基づいてパラメータ設定処理を行う場合である。設定項目（オブジェクトの意味）は、電源オン／オフ、電源オフタイマー及びチャンネル切り替え等である。
【０１３８】
【表３】
2006079443.tif 000005
【０１３９】
この例で、Ｂ社の監視対象機器＃ｉはＢ社のコマンドをそのまま実行できるのに対して、Ａ社の監視対象機器＃ｉはＢ社の定義したコマンドは、そのままでは理解できない場合である。従って、図９に示すコマンド変換ブロック５５において、ＯＩＤを変換するテーブルを参照することで、Ｂ社の定義したコマンドを、Ａ社のコマンド実行ブロック５６が解釈できるコマンドに変換し、パラメータ設定の変更処理等を実行できるようになされる。
【０１４０】
この例でも、ネットワーク等の外部から入力されたコマンドデータＤ１は、データバス７０を経由してＣＰＵ２５に転送される。図９に示すデータ解析ブロック５１は、図４に示したネットワークＩ／Ｆ部６０からコマンドデータＤ１を受信してデータ内容の解析処理を実行することは、第１の実施例で説明した通りである。この例では、データ解析ブロック５１が、ＳＮＭＰ形式でＭＩＢ上に定義されたＯＩＤのコマンドデータＤ１を解析して、例えば、設定項目＝電源オン／オフを示す、Ｂ社のＯＩＤ＝「.1.3.6.1.4.1.70000.3.8.1.1」を抽出（検出）する。
【０１４１】
データ分離／合成部５２は、データ解析処理されたコマンドデータＤ１からヘッダ部やテイラー部を取り除き、Ｂ社のＯＩＤ＝「.1.3.6.1.4.1.70000.3.8.1.1」をコマンド解析ブロック５４に出力する。コマンド解析ブロック５４は、データ解析処理されたＢ社のＯＩＤ＝「.1.3.6.1.4.1.70000.3.8.1.1」を受信してコマンド解析処理を実行する。コマンド解析処理では、データ解析されたコマンドデータＤ１が自社（Ａ社）のコマンドであるか、他社（Ｂ社）のコマンドであるかを判別する。
【０１４２】
このコマンド解析ブロック５４では、ＯＩＤが自社のコマンドと一致するか否かによって、他社のコマンドである等を判別する。コマンドが自社コマンド以外の他社（Ｂ社）コマンドである場合には、コマンド変換ブロック５５を経由させることで、自社コマンドとして取り扱えるようになされる。コマンドが自社コマンドである場合には、コマンド変換ブロック５５はパスされる。
【０１４３】
コマンド変換ブロック５５は、コマンドがＡ社コマンド以外のＢ社コマンドである場合に、コマンド解析ブロック５４によって解析されたＢ社のＯＩＤ＝「.1.3.6.1.4.1.70000.3.8.1.1」をＡ社の監視対象機器＃ｉの設定項目＝電源オン／オフを示す、ＯＩＤ＝「.1.3.6.1.4.1.50000.1.4.2」に変換するようになされる。コマンド実行ブロック５６は、変換後のＡ社のＯＩＤ＝「.1.3.6.1.4.1.50000.1.4.2」に対応付けられた設定項目＝電源オン／オフ内容に基づいて当該監視対象機器＃ｉのパラメータ設定を変更するようになされる。
【０１４４】
このように、Ａ・Ｂ社両方の監視対象機器＃ｉがリモートメンテナンスシステム１内に混在している環境において、Ｂ社の定義したコマンドをＡ社で用いることで、電源オン／オフの設定切り替えに関して、両社の監視対象機器＃ｉを同じ設定できるようになる。
【０１４５】
図１０は、第３の実施例としてのパラメータ設定例（ＯＩＤ）を示すフローチャートである。
【０１４６】
この実施例では、図１に示したようなリモートメンテナンスシステム１において、ネットワークに接続された、監視対象機器＃ｉの設定項目を指定するＯＩＤ（パラメータ識別子ＩＤ＋設定項目）を処理する場合を前提とする。パラメータ設定操作するパソコン１０３と、監視対象機器＃ｉとは通信手段を通じて接続される。この例では監視対象機器＃ｉがＶＴＲ２０４である場合を例に挙げる。Ｂ社のＶＴＲの設定項目＝電源オン／オフを示すＯＩＤが「.1.3.6.1.4.1.70000.3.8.1.1」で、Ａ社のＶＴＲ２０４の設定項目＝電源オン／オフを示すＯＩＤが「.1.3.6.1.4.1.50000.1.4.2」の場合を例に挙げる。
【０１４７】
図１に示した情報管理システム１００とビデオ編集システム２００とは、第１及び第２の実施例で説明した通り、アクセスポイント１０４及びアクセスポイント２０１との間はもちろん、これらのネットワーク１０１、１０２、２０２等の通信手段は、パラメータ設定変更時、制御ソフトウエア３０１によって通信可能な状態となされる。
【０１４８】
これらをパラメータ設定の処理条件にして、図１０に示すフローチャートのステップＣ１でＶＴＲ２０４は、パラメータ設定操作するパソコン１０３の管理下に置かれたＡ社又はＢ社のＯＩＤ形式のコマンドデータＤ１を受信する。このとき、ネットワークＩ／Ｆ部６０は、ネットワーク２０２からＢ社のコマンドデータＤ１を受信して取り込み、データバス７０を通じてＢ社のコマンドデータＤ１をＣＰＵ２５に転送する。
【０１４９】
次に、ステップＣ２に移行して、データ解析ブロック５１は、ネットワークＩ／Ｆ部６０によりＢ社のコマンドデータＤ１を受信してデータ内容の解析処理を実行する。このとき、データ解析ブロック５１は、ヘッダ部、Ｂ社のＯＩＤ＝「.1.3.6.1.4.1.70000.3.8.1.1」、アプリケーション等のデータ及びテイラー部から構成されるコマンドデータＤ１を解析してＢ社のＯＩＤ＝「.1.3.6.1.4.1.70000.3.8.1.1」や、データを抽出（検出）する。データ分離／合成部５２では、データ解析処理されたコマンドデータＤ１からヘッダ部やテイラー部が取り除かれ、Ｂ社のＯＩＤ＝「.1.3.6.1.4.1.70000.3.8.1.1」とアプリケーション等のデータとに振り分けられる。
【０１５０】
その他のブロック５３は、コマンドデータＤ１から分離されたアプリケーション等のデータ処理を実行する。例えば、第１の実施例と同様にして、Ｗｅｂサーバーを搭載したＶＴＲ２０４等の場合には、ＨＴＴＰプロトコル等のコマンドデータＤ１が入力される。そのコマンドデータＤ１はＷｅｂサーバープロセスに渡されて処理される。
【０１５１】
そして、ステップＣ３に移行して、コマンド解析ブロック５４は、データ解析処理されたＢ社のＯＩＤ＝「.1.3.6.1.4.1.70000.3.8.1.1」を受信してコマンド解析処理を実行する。コマンド解析処理では、当該コマンドデータＤ１が自社（Ａ社）のコマンドか、又は、他社（Ｂ社）のコマンドかを判別する。例えば、ＯＩＤが自社のコマンドと一致しないことを検出することによって、Ｂ社のコマンドである等を判別する。
【０１５２】
コマンドが自社コマンド以外の他社（Ｂ社）コマンドである場合には、ステップＣ４に移行して、コマンド変換ブロック５５は、コマンド解析ブロック５４によって解析されたＢ社のＯＩＤ＝「.1.3.6.1.4.1.70000.3.8.1.1」を当該ＶＴＲ２０４のＯＩＤ＝「.1.3.6.1.4.1.50000.1.4.2」に変換するようになされる。このパラメータ変換時、ＣＰＵ２５は、ＥＥＰＲＯＭ２３に格納されたコマンド変換テーブルを参照するようになされる（表３参照）。
【０１５３】
この際の変換処理では、パソコン１０３の遠隔管理下に置かれたＢ社のＯＩＤ＝「.1.3.6.1.4.1.70000.3.8.1.1」をアドレスにして、Ａ社の当該ＶＴＲ２０４のＯＩＤ＝「.1.3.6.1.4.1.50000.1.4.2」を読み出すようになされる。その際に、現在のコマンドに対して［Ｂ社→Ａ社］変換が行われたことをＲＡＭ２２等に記憶するようになされる。このように、コマンド変換ブロック５５を経由させることで、自社コマンドとして取り扱えるようになされる。
【０１５４】
その後、ステップＣ５に移行してコマンド実行ブロック５６は、コマンド変換ブロック５５から変換後の自社（Ａ社）のコマンドの転送を受ける。自社のコマンド実行ブロック５６では、変換後のＡ社のＯＩＤ＝「.1.3.6.1.4.1.50000.1.4.2」に対応付けられた設定項目＝電源オン／オフ内容に基づいて当該ＶＴＲ２０４のパラメータ設定を変更するようになされる。
【０１５５】
なお、ステップＣ３でコマンドが自社コマンドであると判別された場合は、コマンド変換ブロック５５はパスされ、ステップＣ５に移行する。ステップＣ５でコマンド実行ブロック５６は、コマンド解析ブロック５４から自社（Ａ社）のコマンドの転送を受ける。自社のコマンド実行ブロック５６では、自社のＯＩＤ＝「.1.3.6.1.4.1.50000.1.4.2」に対応付けられた設定項目の調整内容に基づいて当該ＶＴＲ２０４のパラメータ設定を変更するようになされる。
【０１５６】
このように本発明に係る第３の実施例としてのＶＴＲ及び情報処理方法によれば、パラメータ識別子ＩＤ＋設定項目を指定するＯＩＤを処理する場合に、コマンド変換ブロック５５は、コマンド解析ブロック５４によって解析されたＢ社のＯＩＤ＝「.1.3.6.1.4.1.70000.3.8.1.1」をＡ社の当該ＶＴＲ２０４のＯＩＤ＝「.1.3.6.1.4.1.50000.1.4.2」に変換する。コマンド実行ブロック５６は、変換後のＡ社のＯＩＤ＝「.1.3.6.1.4.1.50000.1.4.2」に対応付けられた設定項目である電源オン／オフ内容に基づいて当該ＶＴＲ２０４のパラメータ設定を変更するようになされる。
【０１５７】
従って、パラメータ設定操作するパソコン１０３の遠隔管理下に置かれるＢ社のＶＴＲの機種が、Ａ社のＶＴＲの機種と相違しても、設定パラメータを容易に変更することができ、全機種の同じ設定項目を同じ値に設定することができる。これにより、従来方式のようにサービスマンや管理者が現場まで出向き、一台一台の監視対象となったＶＴＲ２０４等に対して管理・点検を行う手間を減らすことができる。
【実施例４】
【０１５８】
図１１は第４の実施例としての制御装置２０内に構築される制御ブロックの構成例（ＯＩＤ＋ＶＡＬＵＥ）を示す図である。
【０１５９】
この実施例では、Ａ社・Ｂ社で、電源オン／オフについて、表４に示すように設定値の意味づけが異なる場合である。この場合には、設定値（ＶＡＬＵＥ）を変換する処理がなされる。
【０１６０】
【表４】
2006079443.tif 000006
【０１６１】
図１１に示すデータ解析ブロック５１は、第１及び第３の実施例で説明した通り、設定項目＝電源オン／オフを示す、Ｂ社のＯＩＤ＝「.1.3.6.1.4.1.70000.3.8.1.1」を抽出（検出）するが、第４の実施例では、例えば、電源オフを示す設定値であるＶＡＬＵＥ＝１を検出する。
【０１６２】
データ分離／合成部５２は、データ解析処理されたコマンドデータＤ１からヘッダ部やテイラー部を取り除き、Ｂ社のＯＩＤ＝「.1.3.6.1.4.1.70000.3.8.1.1」及びＶＡＬＵＥ＝１をコマンド解析ブロック５４に出力する。コマンド解析ブロック５４は、データ解析処理されたＢ社のＯＩＤ＝「.1.3.6.1.4.1.70000.3.8.1.1」及びＶＡＬＵＥ＝１を受信してコマンド解析処理を実行する。コマンド解析処理では、データ解析されたコマンドデータＤ１が自社（Ａ社）のコマンドであるか、他社（Ｂ社）のコマンドであるかを判別する。
【０１６３】
このコマンド解析ブロック５４では、ＯＩＤが自社のコマンドと一致するか否かによって、他社のコマンドである等を判別する。コマンドが自社コマンド以外の他社（Ｂ社）コマンドである場合には、コマンド変換ブロック５５を経由させることで、自社コマンドとして取り扱えるようになされる。コマンドが自社コマンドである場合には、第１及び第３の実施例と同様にして、コマンド変換ブロック５５はパスされる。
【０１６４】
コマンド変換ブロック５５は、コマンドがＡ社コマンド以外のＢ社コマンドである場合に、コマンド解析ブロック５４によって解析されたＢ社のＯＩＤ＝「.1.3.6.1.4.1.70000.3.8.1.1」及びＶＡＬＵＥ＝１をＡ社の監視対象機器＃ｉの設定項目＝電源オフ／オフを示す、ＯＩＤ＝「.1.3.6.1.4.1.50000.1.4.2」及びＶＡＬＵＥ＝０に変換するようになされる。コマンド実行ブロック５６は、変換後のＡ社のＯＩＤ＝「.1.3.6.1.4.1.50000.1.4.2」及びＶＡＬＵＥ＝０に対応付けられた設定項目＝電源オフ内容に基づいて当該監視対象機器＃ｉのパラメータ設定を変更するようになされる。
【０１６５】
このように、Ａ・Ｂ社両方の監視対象機器＃ｉがリモートメンテナンスシステム１内に混在している環境において、Ｂ社の定義したコマンドをＡ社で用いることで、電源オン／オフの設定切り替えに関して、両社の監視対象機器＃ｉを同じ設定できるようになる。なお、Ａ社及びＢ社で、電源オン／オフについて、例えば、オフ（０）、オン（１）のように設定値の意味づけが行われている場合は、設定値（ＶＡＬＵＥ）の変換は不要となる。
【０１６６】
図１２は、第４の実施例としてのパラメータ設定例（ＶＡＬＵＥ）を示すフローチャートである。
【０１６７】
この実施例では、図１に示したようなリモートメンテナンスシステム１において、ネットワークに接続された、監視対象機器＃ｉの設定項目を指定するＯＩＤ（パラメータ識別子ＩＤ＋設定項目）及びＶＡＬＵＥを処理する場合を前提とする。パラメータ設定操作するパソコン１０３と、監視対象機器＃ｉとは通信手段を通じて接続される。この例では監視対象機器＃ｉがＶＴＲ２０４である場合を例に挙げる。Ｂ社のＶＴＲの設定項目＝電源オン／オフを示すＯＩＤが「.1.3.6.1.4.1.70000.3.8.1.1」で電源オフを示す設定値がＶＡＬＵＥ＝１、Ａ社のＶＴＲ２０４の設定項目＝電源オン／オフを示すＯＩＤが「.1.3.6.1.4.1.50000.1.4.2」で、その電源オフを示す設定値がＶＡＬＵＥ＝０の場合を例に挙げる。
【０１６８】
図１に示した情報管理システム１００とビデオ編集システム２００とは、第１及び第２の実施例で説明した通り、アクセスポイント１０４及びアクセスポイント２０１との間はもちろん、これらのネットワーク１０１、１０２、２０２等の通信手段は、パラメータ設定変更時、制御ソフトウエア３０１によって通信可能な状態となされる。
【０１６９】
これらをパラメータ設定の処理条件にして、図１２に示すフローチャートのステップＥ１でＶＴＲ２０４は、パラメータ設定操作するパソコン１０３の管理下に置かれたＡ社又はＢ社のＯＩＤ＋ＶＡＬＵＥ形式のコマンドデータＤ１を受信する。このとき、ネットワークＩ／Ｆ部６０は、ネットワーク２０２からＢ社のコマンドデータＤ１を受信して取り込み、データバス７０を通じてＢ社のコマンドデータＤ１をＣＰＵ２５に転送する。
【０１７０】
次に、ステップＥ２に移行して、データ解析ブロック５１は、ネットワークＩ／Ｆ部６０によりＢ社のコマンドデータＤ１を受信してデータ内容の解析処理を実行する。このとき、データ解析ブロック５１は、ヘッダ部、Ｂ社のＯＩＤ＝「.1.3.6.1.4.1.70000.3.8.1.1」及びＶＡＬＵＥ＝１、アプリケーション等のデータ及びテイラー部から構成されるコマンドデータＤ１を解析してＢ社のＯＩＤ＝「.1.3.6.1.4.1.70000.3.8.1.1」及びＶＡＬＵＥ＝１や、データを抽出（検出）する。データ分離／合成部５２では、データ解析処理されたコマンドデータＤ１からヘッダ部やテイラー部が取り除かれ、Ｂ社のＯＩＤ＝「.1.3.6.1.4.1.70000.3.8.1.1」及びＶＡＬＵＥ＝１とアプリケーション等のデータとに振り分けられる。
【０１７１】
その他のブロック５３は、コマンドデータＤ１から分離されたアプリケーション等のデータ処理を実行する。例えば、第１の実施例と同様にして、Ｗｅｂサーバーを搭載したＶＴＲ２０４等の場合には、ＨＴＴＰプロトコル等のコマンドデータＤ１が入力される。そのコマンドデータＤ１はＷｅｂサーバープロセスに渡されて処理される。
【０１７２】
そして、ステップＥ３に移行して、コマンド解析ブロック５４は、データ解析処理されたＢ社のＯＩＤ＝「.1.3.6.1.4.1.70000.3.8.1.1」及びＶＡＬＵＥ＝１を受信してコマンド解析処理を実行する。コマンド解析処理では、当該コマンドデータＤ１が自社（Ａ社）のコマンドか、又は、他社（Ｂ社）のコマンドかを判別する。例えば、ＯＩＤ及びＶＡＬＵＥが自社のコマンドと一致しないことを検出することによって、Ｂ社のコマンドである等を判別する。
【０１７３】
コマンドが自社コマンド以外の他社（Ｂ社）コマンドである場合には、ステップＥ４に移行して、コマンド変換ブロック５５は、コマンド解析ブロック５４によって解析されたＢ社のＯＩＤ＝「.1.3.6.1.4.1.70000.3.8.1.1」及びＶＡＬＵＥ＝１を当該ＶＴＲ２０４のＯＩＤ＝「.1.3.6.1.4.1.50000.1.4.2」及びＶＡＬＵＥ＝０に変換するようになされる。このパラメータ変換時、ＣＰＵ２５は、ＥＥＰＲＯＭ２３に格納されたコマンド変換テーブルを参照するようになされる（表４参照）。
【０１７４】
この際の変換処理では、パソコン１０３の遠隔管理下に置かれたＢ社のＯＩＤ＝「.1.3.6.1.4.1.70000.3.8.1.1」及びＶＡＬＵＥ＝１をアドレスにして、Ａ社の当該ＶＴＲ２０４のＯＩＤ＝「.1.3.6.1.4.1.50000.1.4.2」及びＶＡＬＵＥ＝０を読み出すようになされる。その際に、現在のコマンドに対して［Ｂ社→Ａ社］変換が行われたことをＲＡＭ２２等に記憶するようになされる。このように、コマンド変換ブロック５５を経由させることで、自社コマンドとして取り扱えるようになされる。
【０１７５】
その後、ステップＥ５に移行してコマンド実行ブロック５６は、コマンド変換ブロック５５から変換後の自社（Ａ社）のコマンドの転送を受ける。自社のコマンド実行ブロック５６では、変換後のＡ社のＯＩＤ＝「.1.3.6.1.4.1.50000.1.4.2」及びＶＡＬＵＥ＝０に対応付けられた設定項目＝電源オフ内容に基づいて当該ＶＴＲ２０４のパラメータ設定を変更するようになされる。
【０１７６】
なお、ステップＥ３でコマンドが自社コマンドであると判別された場合は、コマンド変換ブロック５５はパスされ、ステップＥ５に移行する。ステップＥ５でコマンド実行ブロック５６は、コマンド解析ブロック５４から自社（Ａ社）のコマンドの転送を受ける。自社のコマンド実行ブロック５６では、自社のＯＩＤ＝「.1.3.6.1.4.1.50000.1.4.2」及びＶＡＬＵＥ＝０に対応付けられた設定項目の調整内容に基づいて当該ＶＴＲ２０４のパラメータ設定を変更するようになされる。この変更によって、Ｂ社のＶＴＲの電源をオフにするコマンドで、Ａ社のＶＴＲ２０４の電源をオフすることができる。
【０１７７】
このように本発明に係る第４の実施例としてのＶＴＲ及び情報処理方法によれば、パラメータ識別子ＩＤ＋設定項目を指定するＯＩＤ及びＶＡＬＵＥを処理する場合に、コマンド変換ブロック５５は、コマンド解析ブロック５４によって解析されたＢ社のＯＩＤ＝「.1.3.6.1.4.1.70000.3.8.1.1」及びＶＡＬＵＥ＝１をＡ社の当該ＶＴＲ２０４のＯＩＤ＝「.1.3.6.1.4.1.50000.1.4.2」及びＶＡＬＵＥ＝０に変換する。コマンド実行ブロック５６は、変換後のＡ社のＯＩＤ＝「.1.3.6.1.4.1.50000.1.4.2」及びＶＡＬＵＥ＝０に対応付けられた設定項目である電源オフ内容に基づいて当該ＶＴＲ２０４のパラメータ設定を変更するようになされる。
【０１７８】
従って、パラメータ設定操作するパソコン１０３の遠隔管理下に置かれるＢ社のＶＴＲの機種が、Ａ社のＶＴＲ２０４の機種と相違し、かつ、設定値の意味づけが異なっても、設定パラメータを容易に変更することができ、全機種の同じ設定項目を同じ値に設定することができる。これにより、従来方式のようにサービスマンや管理者が現場まで出向き、一台一台の監視対象となったＶＴＲ２０４等に対して管理・点検を行う手間を減らすことができる。
【実施例５】
【０１７９】
図１３は第５の実施例としての制御装置２０内に構築される制御ブロックの構成例（コマンド文字列）を示す図である。
【０１８０】
この実施例では、あるネットワークプロトコル上で、パラメータ識別子ＩＤ＋データ部分にコマンド文字列を含める場合であって、Ａ社・Ｂ社で、電源オン／オフについて、表５に示すようにコマンド文字列が異なる場合である。この場合には、コマンド文字列を変換する処理がなされる。
【０１８１】
【表５】
2006079443.tif 000007
【０１８２】
図１３に示すデータ解析ブロック５１では、第１、第３及び第４の実施例で説明した設定項目＝電源オン／オフがコマンド文字例で設定される。データ解析ブロック５１は、Ｂ社のコマンド文字例＝「POWER」を検出する。
【０１８３】
データ分離／合成部５２は、データ解析処理されたコマンドデータＤ１からヘッダ部やテイラー部を取り除き、Ｂ社のコマンド文字例＝「POWER」をコマンド解析ブロック５４に出力する。コマンド解析ブロック５４は、データ解析処理されたＢ社のコマンド文字例＝「POWER」を受信してコマンド解析処理を実行する。コマンド解析処理では、データ解析されたコマンドデータＤ１が自社（Ａ社）のコマンドであるか、他社（Ｂ社）のコマンドであるかを判別する。
【０１８４】
このコマンド解析ブロック５４では、コマンド文字例が自社のコマンドと一致するか否かによって、他社のコマンドである等を判別する。この例でコマンド変換ブロック５５には、コマンド文字列を変換するテーブルが予め準備される。コマンド変換ブロック５５はＳＮＭＰ等と同様にコマンド変換が行われる。
【０１８５】
コマンドが自社コマンド以外の他社（Ｂ社）コマンドである場合には、コマンド変換ブロック５５を経由させることで、自社コマンドとして取り扱えるようになされる。コマンドが自社コマンドである場合には、第１及び第３の実施例と同様にして、コマンド変換ブロック５５はパスされる。
【０１８６】
コマンド変換ブロック５５は、コマンドがＡ社コマンド以外のＢ社コマンドである場合に、コマンド解析ブロック５４によって解析されたＢ社のコマンド文字例＝「POWER」をＡ社の監視対象機器＃ｉの設定項目＝電源オフ／オフを示す、コマンド文字例＝「PwrCtrl」に変換するようになされる。コマンド実行ブロック５６は、変換後のＡ社のコマンド文字例＝「PwrCtrl」に対応付けられた設定項目＝電源オフ内容に基づいて当該監視対象機器＃ｉのパラメータ設定を変更するようになされる。この変更によって、Ｂ社の定義したＢ社のＶＴＲの電源をオフにするコマンド文字列で、Ａ社のＶＴＲ２０４の電源オン／オフの切り替えを行うことができる。
【０１８７】
このように、Ａ・Ｂ社両方の監視対象機器＃ｉがリモートメンテナンスシステム１内に混在している環境において、Ｂ社の定義したコマンドをＡ社で用いることで、電源オン／オフの設定切り替えに関して、両社の監視対象機器＃ｉを同じ設定できるようになる。
【０１８８】
図１４は、第５の実施例としてのパラメータ設定例（コマンド文字例）を示すフローチャートである。
【０１８９】
この実施例では、図１に示したようなリモートメンテナンスシステム１において、あるネットワークプロトコル上で、データ部分にコマンド文字列を含めてコマンドを実行する場合、予めコマンド変換ブロック５５にコマンド文字列を変換するテーブルを準備し、ＳＮＭＰ等と同様にコマンド変換を行えるようにしたものである。第１〜第４の実施例と同様にして、パラメータ設定操作するパソコン１０３と、監視対象機器＃ｉとは通信手段を通じて接続される。この例でも監視対象機器＃ｉがＶＴＲ２０４である場合を例に挙げる。Ｂ社のＶＴＲの設定項目＝電源オン／オフを示すコマンド文字例が「POWER」で、Ａ社のＶＴＲ２０４の設定項目＝電源オン／オフを示すコマンド文字例が「PwrCtrl」の場合を例に挙げる。
【０１９０】
図１に示した情報管理システム１００とビデオ編集システム２００とは、第１乃至第４の実施例で説明した通り、アクセスポイント１０４及びアクセスポイント２０１との間はもちろん、これらのネットワーク１０１、１０２、２０２等の通信手段は、パラメータ設定変更時、制御ソフトウエア３０１によって通信可能な状態となされる。
【０１９１】
これらをパラメータ設定の処理条件にして、図１４に示すフローチャートのステップＦ１でＶＴＲ２０４は、パラメータ設定操作するパソコン１０３の管理下に置かれたＡ社又はＢ社のコマンド文字例形式のコマンドデータＤ１を受信する。このとき、ネットワークＩ／Ｆ部６０は、ネットワーク２０２からＢ社のコマンドデータＤ１を受信して取り込み、データバス７０を通じてＢ社のコマンドデータＤ１をＣＰＵ２５に転送する。
【０１９２】
次に、ステップＦ２に移行して、データ解析ブロック５１は、ネットワークＩ／Ｆ部６０によりＢ社のコマンドデータＤ１を受信してデータ内容の解析処理を実行する。このとき、データ解析ブロック５１は、ヘッダ部、Ｂ社のコマンド文字例＝「POWER」、アプリケーション等のデータ及びテイラー部から構成されるコマンドデータＤ１を解析してＢ社のコマンド文字例＝「POWER」や、データを抽出（検出）する。データ分離／合成部５２では、データ解析処理されたコマンドデータＤ１からヘッダ部やテイラー部が取り除かれ、Ｂ社のコマンド文字例＝「POWER」とアプリケーション等のデータとに振り分けられる。
【０１９３】
その他のブロック５３は、コマンドデータＤ１から分離されたアプリケーション等のデータ処理を実行する。例えば、第１、第３及び第４の実施例と同様にして、Ｗｅｂサーバーを搭載したＶＴＲ２０４等の場合には、ＨＴＴＰプロトコル等のコマンドデータＤ１が入力される。そのコマンドデータＤ１はＷｅｂサーバープロセスに渡されて処理される。
【０１９４】
そして、ステップＦ３に移行して、コマンド解析ブロック５４は、データ解析処理されたＢ社のコマンド文字例＝「POWER」を受信してコマンド解析処理を実行する。コマンド解析処理では、当該コマンドデータＤ１が自社（Ａ社）のコマンドか、又は、他社（Ｂ社）のコマンドかを判別する。例えば、コマンド文字例＝「POWER」が自社のコマンドと一致しないことを検出することによって、Ｂ社のコマンドである等を判別する。
【０１９５】
コマンドが自社コマンド以外の他社（Ｂ社）コマンドである場合には、ステップＦ４に移行して、コマンド変換ブロック５５は、コマンド解析ブロック５４によって解析されたＢ社のコマンド文字例＝「POWER」を当該ＶＴＲ２０４のコマンド文字例＝「PwrCtrl」に変換するようになされる。このパラメータ変換時、ＣＰＵ２５は、ＥＥＰＲＯＭ２３に格納されたコマンド変換テーブルを参照するようになされる（表５参照）。
【０１９６】
この際の変換処理では、パソコン１０３の遠隔管理下に置かれたＢ社のコマンド文字例＝「POWER」をアドレスにして、Ａ社の当該ＶＴＲ２０４のコマンド文字例＝「PwrCtrl」を読み出すようになされる。その際に、現在のコマンドに対して［Ｂ社→Ａ社］変換が行われたことをＲＡＭ２２等に記憶するようになされる。このように、コマンド変換ブロック５５を経由させることで、自社コマンドとして取り扱えるようになされる。
【０１９７】
その後、ステップＦ５に移行してコマンド実行ブロック５６は、コマンド変換ブロック５５から変換後の自社（Ａ社）のコマンドの転送を受ける。自社のコマンド実行ブロック５６では、変換後のＡ社のコマンド文字例＝「PwrCtrl」に対応付けられた設定項目＝電源オフ内容に基づいて当該ＶＴＲ２０４のパラメータ設定を変更するようになされる。
【０１９８】
なお、ステップＦ３でコマンドが自社コマンドであると判別された場合は、コマンド変換ブロック５５はパスされ、ステップＦ５に移行する。ステップＦ５でコマンド実行ブロック５６は、コマンド解析ブロック５４から自社（Ａ社）のコマンドの転送を受ける。自社のコマンド実行ブロック５６では、自社のコマンド文字例＝「PwrCtrl」に対応付けられた設定項目の調整内容に基づいて当該ＶＴＲ２０４のパラメータ設定を変更するようになされる。この変更によって、Ｂ社の定義したＢ社のＶＴＲの電源をオフにするコマンド文字列で、Ａ社のＶＴＲ２０４の電源オン／オフの切り替えを行うことができる。
【０１９９】
このように本発明に係る第５の実施例としてのＶＴＲ及び情報処理方法によれば、設定項目を指定するコマンド文字例を処理する場合に、コマンド変換ブロック５５は、コマンド解析ブロック５４によって解析されたＢ社のコマンド文字例＝「POWER」をＡ社の当該ＶＴＲ２０４のコマンド文字例＝「PwrCtrl」に変換する。コマンド実行ブロック５６は、変換後のＡ社のコマンド文字例＝「PwrCtrl」に対応付けられた設定項目である電源オフ内容に基づいて当該ＶＴＲ２０４のパラメータ設定を変更するようになされる。
【０２００】
従って、パラメータ設定操作するパソコン１０３の遠隔管理下に置かれるＢ社のＶＴＲの機種が、Ａ社のＶＴＲ２０４の機種と相違し、かつ、コマンド文字例が異なっても、設定パラメータを容易に変更することができ、全機種の同じ設定項目を同じ値に設定することができる。これにより、従来方式のようにサービスマンや管理者が現場まで出向き、一台一台の監視対象となったＶＴＲ２０４等に対して管理・点検を行う手間を減らすことができる。
【実施例６】
【０２０１】
図１５は第６の実施例としての制御装置２０内に構築される制御ブロックの構成例（コマンド文字例＋ＶＡＬＵＥ）を示す図である。
【０２０２】
この実施例では、第５の実施例に係るコマンド文字例に加えて、Ａ社・Ｂ社で、電源オン／オフについて、表６に示すように設定値の意味づけが異なる場合である。この場合には、設定値（ＶＡＬＵＥ）を変換する処理がなされる。
【０２０３】
【表６】
2006079443.tif 000008
【０２０４】
図１５に示すデータ解析ブロック５１では、第１、第３乃至第５の実施例で説明した設定項目＝電源オン／オフがコマンド文字例＋ＶＡＬＵＥで設定される。データ解析ブロック５１は、例えば、電源オフを示すＢ社のコマンド文字例＝「POWER」及びＶＡＬＵＥ＝ＯＦＦを検出する。
【０２０５】
データ分離／合成部５２は、データ解析処理されたコマンドデータＤ１からヘッダ部やテイラー部を取り除き、Ｂ社のコマンド文字例＝「POWER」をコマンド解析ブロック５４に出力する。コマンド解析ブロック５４は、データ解析処理されたＢ社のコマンド文字例＝「POWER」及びＶＡＬＵＥ＝ＯＦＦを受信してコマンド解析処理を実行する。コマンド解析処理では、データ解析されたコマンドデータＤ１が自社（Ａ社）のコマンドであるか、他社（Ｂ社）のコマンドであるかを判別する。
【０２０６】
このコマンド解析ブロック５４では、コマンド文字例及びＶＡＬＵＥが自社のコマンドと一致するか否かによって、他社のコマンドである等を判別する。この例でコマンド変換ブロック５５には、コマンド文字列及びＶＡＬＵＥを変換するテーブルが予め準備される。コマンド変換ブロック５５はＳＮＭＰ等と同様にコマンド変換が行われる。
【０２０７】
コマンドが自社コマンド以外の他社（Ｂ社）コマンドである場合には、コマンド変換ブロック５５を経由させることで、自社コマンドとして取り扱えるようになされる。コマンドが自社コマンドである場合には、第１、第３乃至第５の実施例と同様にして、コマンド変換ブロック５５はパスされる。
【０２０８】
コマンド変換ブロック５５は、コマンドがＡ社コマンド以外のＢ社コマンドである場合に、コマンド解析ブロック５４によって解析されたＢ社のコマンド文字例＝「POWER」及びＶＡＬＵＥ＝ＯＦＦをＡ社の監視対象機器＃ｉの設定項目＝電源オフ／オフを示す、コマンド文字例＝「PwrCtrl」及びＶＡＬＵＥ＝０に変換するようになされる。コマンド実行ブロック５６は、変換後のＡ社のコマンド文字例＝「PwrCtrl」及びＶＡＬＵＥ＝０に対応付けられた設定項目＝電源オフ内容に基づいて当該監視対象機器＃ｉのパラメータ設定を変更するようになされる。この変更によって、Ｂ社の定義したＢ社のＶＴＲの電源をオフにするコマンド文字列及びＶＡＬＵＥで、Ａ社のＶＴＲ２０４の電源オン／オフの切り替えを行うことができる。
【０２０９】
このように、Ａ・Ｂ社両方の監視対象機器＃ｉがリモートメンテナンスシステム１内に混在している環境において、Ｂ社の定義したコマンドをＡ社で用いることで、電源オン／オフの設定切り替えに関して、両社の監視対象機器＃ｉを同じ設定できるようになる。
【０２１０】
図１６は、第６の実施例としてのパラメータ設定例（コマンド文字例＋ＶＡＬＵＥ）を示すフローチャートである。
【０２１１】
この実施例では、図１に示したようなリモートメンテナンスシステム１において、あるネットワークプロトコル上で、データ部分にコマンド文字列及びＶＡＬＵＥを含めてコマンドを実行する場合、予めコマンド変換ブロック５５にコマンド文字列及びＶＡＬＵＥを変換するテーブルを準備し、ＳＮＭＰ等と同様にコマンド変換を行えるようにしたものである。第１〜第５の実施例と同様にして、パラメータ設定操作するパソコン１０３と、監視対象機器＃ｉとは通信手段を通じて接続される。この例でも監視対象機器＃ｉがＶＴＲ２０４である場合を例に挙げる。Ｂ社のＶＴＲの設定項目＝電源オン／オフを示すコマンド文字例が「POWER」及び電源オフを示すＶＡＬＵＥが「ＯＦＦ」で、Ａ社のＶＴＲ２０４の設定項目＝電源オン／オフを示すコマンド文字例が「PwrCtrl」及び電源オフを示すＶＡＬＵＥが「０」である場合を例に挙げる。
【０２１２】
図１に示した情報管理システム１００とビデオ編集システム２００とは、第１乃至第５の実施例で説明した通り、アクセスポイント１０４及びアクセスポイント２０１との間はもちろん、これらのネットワーク１０１、１０２、２０２等の通信手段は、パラメータ設定変更時、制御ソフトウエア３０１によって通信可能な状態となされる。
【０２１３】
これらをパラメータ設定の処理条件にして、図１６に示すフローチャートのステップＧ１でＶＴＲ２０４は、パラメータ設定操作するパソコン１０３の管理下に置かれたＡ社又はＢ社のコマンド文字例＋ＶＡＬＵＥ形式のコマンドデータＤ１を受信する。このとき、ネットワークＩ／Ｆ部６０は、ネットワーク２０２からＢ社のコマンドデータＤ１を受信して取り込み、データバス７０を通じてＢ社のコマンドデータＤ１をＣＰＵ２５に転送する。
【０２１４】
次に、ステップＧ２に移行して、データ解析ブロック５１は、ネットワークＩ／Ｆ部６０によりＢ社のコマンドデータＤ１を受信してデータ内容の解析処理を実行する。このとき、データ解析ブロック５１は、ヘッダ部、Ｂ社のコマンド文字例＝「POWER」＋ＶＡＬＵＥ＝「ＯＦＦ」、アプリケーション等のデータ及びテイラー部から構成されるコマンドデータＤ１を解析してＢ社のコマンド文字例＝「POWER」＋ＶＡＬＵＥ＝「ＯＦＦ」や、データを抽出（検出）する。データ分離／合成部５２では、データ解析処理されたコマンドデータＤ１からヘッダ部やテイラー部が取り除かれ、Ｂ社のコマンド文字例＝「POWER」＋ＶＡＬＵＥ＝「ＯＦＦ」とアプリケーション等のデータとに振り分けられる。
【０２１５】
その他のブロック５３は、コマンドデータＤ１から分離されたアプリケーション等のデータ処理を実行する。例えば、第１、第３乃至第５の実施例と同様にして、Ｗｅｂサーバーを搭載したＶＴＲ２０４等の場合には、ＨＴＴＰプロトコル等のコマンドデータＤ１が入力される。そのコマンドデータＤ１はＷｅｂサーバープロセスに渡されて処理される。
【０２１６】
そして、ステップＧ３に移行して、コマンド解析ブロック５４は、データ解析処理されたＢ社のコマンド文字例＝「POWER」＋ＶＡＬＵＥ＝「ＯＦＦ」を受信してコマンド解析処理を実行する。コマンド解析処理では、当該コマンドデータＤ１が自社（Ａ社）のコマンドか、又は、他社（Ｂ社）のコマンドかを判別する。例えば、コマンド文字例＝「POWER」＋ＶＡＬＵＥ＝「ＯＦＦ」が自社のコマンドと一致しないことを検出することによって、Ｂ社のコマンドである等を判別する。
【０２１７】
コマンドが自社コマンド以外の他社（Ｂ社）コマンドである場合には、ステップＧ４に移行して、コマンド変換ブロック５５は、コマンド解析ブロック５４によって解析されたＢ社のコマンド文字例＝「POWER」＋ＶＡＬＵＥ＝「ＯＦＦ」を当該ＶＴＲ２０４のコマンド文字例＝「PwrCtrl」＋ＶＡＬＵＥ＝「０」に変換するようになされる。このパラメータ変換時、ＣＰＵ２５は、ＥＥＰＲＯＭ２３に格納されたコマンド変換テーブルを参照するようになされる（表５及び６参照）。
【０２１８】
この際の変換処理では、パソコン１０３の遠隔管理下に置かれたＢ社のコマンド文字例＝「POWER」＋ＶＡＬＵＥ＝「ＯＦＦ」をアドレスにして、Ａ社の当該ＶＴＲ２０４のコマンド文字例＝「PwrCtrl」＋ＶＡＬＵＥ＝「０」を読み出すようになされる。その際に、現在のコマンドに対して［Ｂ社→Ａ社］変換が行われたことをＲＡＭ２２等に記憶するようになされる。このように、コマンド変換ブロック５５を経由させることで、自社コマンドとして取り扱えるようになされる。
【０２１９】
その後、ステップＧ５に移行してコマンド実行ブロック５６は、コマンド変換ブロック５５から変換後の自社（Ａ社）のコマンドの転送を受ける。自社のコマンド実行ブロック５６では、変換後のＡ社のコマンド文字例＝「PwrCtrl」＋ＶＡＬＵＥ＝「０」に対応付けられた設定項目＝電源オフ内容に基づいて当該ＶＴＲ２０４のパラメータ設定を変更するようになされる。
【０２２０】
なお、ステップＧ３でコマンドが自社コマンドであると判別された場合は、コマンド変換ブロック５５はパスされ、ステップＧ５に移行する。ステップＧ５でコマンド実行ブロック５６は、コマンド解析ブロック５４から自社（Ａ社）のコマンドの転送を受ける。自社のコマンド実行ブロック５６では、自社のコマンド文字例＝「PwrCtrl」＋ＶＡＬＵＥ＝「０」に対応付けられた設定項目の調整内容に基づいて当該ＶＴＲ２０４のパラメータ設定を変更するようになされる。この変更によって、Ｂ社の定義したＢ社のＶＴＲの電源をオフにするコマンド文字列＋ＶＡＬＵＥで、Ａ社のＶＴＲ２０４の電源オン／オフの切り替えを行うことができる。
【０２２１】
このように本発明に係る第６の実施例としてのＶＴＲ及び情報処理方法によれば、設定項目を指定するコマンド文字例＋ＶＡＬＵＥを処理する場合に、コマンド変換ブロック５５は、コマンド解析ブロック５４によって解析されたＢ社のコマンド文字例＝「POWER」＋ＶＡＬＵＥ＝「ＯＦＦ」をＡ社の当該ＶＴＲ２０４のコマンド文字例＝「PwrCtrl」＋ＶＡＬＵＥ＝「０」に変換する。コマンド実行ブロック５６は、変換後のＡ社のコマンド文字例＝「PwrCtrl」＋ＶＡＬＵＥ＝「０」に対応付けられた設定項目である電源オフ内容に基づいて当該ＶＴＲ２０４のパラメータ設定を変更するようになされる。
【０２２２】
従って、パラメータ設定操作するパソコン１０３の遠隔管理下に置かれるＢ社のＶＴＲの機種が、Ａ社のＶＴＲ２０４の機種と相違し、かつ、コマンド文字例及び設定値（ＶＡＬＵＥ）が異なっても、設定パラメータを容易に変更することができ、全機種の同じ設定項目を同じ値に設定することができる。これにより、従来方式のようにサービスマンや管理者が現場まで出向き、一台一台の監視対象となったＶＴＲ２０４等に対して管理・点検を行う手間を減らすことができる。
【０２２３】
この実施例では、監視対象機器＃ｉについて、ＶＴＲの場合について説明したが、これに限られることはなく、ビデオカメラ１０６、ＩＰカメラ１０７、プリンタ１０８，１０９についても同様な効果を得ることができる。
【産業上の利用可能性】
【０２２４】
この発明は、ネットワーク接続可能な監視対象機器であるビデオカメラ、ＩＰカメラ、プリンタ、モニタ、テレビ等に対して遠隔地からパラメータを設定するリモートメンテナンスシステム等に適用して好適である。
【図面の簡単な説明】
【０２２５】
【図１】本発明に係る各実施例としての情報処理システムを応用したリモートメンテナンスシステム１の構成例を示す概念図である。
【図２】リモートメンテナンスシステム１におけるパラメータ設定変更時の通信処理例（その１）を示すブロック図である。
【図３】リモートメンテナンスシステム１におけるパラメータ設定変更時の通信処理例（その２）を示すブロック図である。
【図４】本発明に係る実施例としての監視対象機器＃ｉの構成例を示すブロック図である。
【図５】図４に示した監視対象機器＃ｉ側の制御装置２０内に構築される制御ブロックの構成例（受信時）を示す図である。
【図６】第１の実施例としてのパラメータ設定例を示すフローチャートである。
【図７】第２の実施例としての制御装置２０内に構築される制御ブロックの構成例（応答時）を示す図である。
【図８】ＶＴＲ設定パラメータに係るコマンド実行後の応答例を示すフローチャートである。
【図９】第３の実施例としての制御装置２０内に構築される制御ブロックの構成例（ＯＩＤ；受信時）を示す図である。
【図１０】パラメータ設定例（ＯＩＤ）を示すフローチャートである。
【図１１】第４の実施例としての制御装置２０内に構築される制御ブロックの構成例（ＯＩＤ＋ＶＡＬＵＥ）を示す図である。
【図１２】パラメータ設定例（ＯＩＤ＋ＶＡＬＵＥ）を示すフローチャートである。
【図１３】第５の実施例としての制御装置２０内に構築される制御ブロックの構成例（コマンド文字列）を示す図である。
【図１４】パラメータ設定例（コマンド文字例）を示すフローチャートである。
【図１５】第６の実施例としての制御装置２０内に構築される制御ブロックの構成例（コマンド文字例＋ＶＡＬＵＥ）を示す図である。
【図１６】パラメータ設定例（コマンド文字例＋ＶＡＬＵＥ）を示すフローチャートである。
【符号の説明】
【０２２６】
１・・・リモートメンテナンスシステム、１０・・・機能ブロック、２０・・・制御装置、２１・・・ＲＯＭ、２２・・・ＲＡＭ、２３・・・ＥＥＰＲＯＭ、２５・・・ＣＰＵ、５１・・・データ解析ブロック、５２・・・データ分離部、５４・・・コマンド解析ブロック、５５・・・コマンド変換ブロック、５６・・・コマンド実行ブロック、１００・・・情報管理システム（情報処理システム）、２００・・・ビデオ編集システム
【図１】
2006079443.tif 000009
【図２】
2006079443.tif 000010
【図３】
2006079443.tif 000011
【図４】
2006079443.tif 000012
【図５】
2006079443.tif 000013
【図６】
2006079443.tif 000014
【図７】
2006079443.tif 000015
【図８】
2006079443.tif 000016
【図９】
2006079443.tif 000017
【図１０】
2006079443.tif 000018
【図１１】
2006079443.tif 000019
【図１２】
2006079443.tif 000020
【図１３】
2006079443.tif 000021
【図１４】
2006079443.tif 000022
【図１５】
2006079443.tif 000023
【図１６】
2006079443.tif 000024
【手続補正書】
【提出日】平成17年11月18日(2005.11.18)
【手続補正１】
【補正対象書類名】明細書
【補正対象項目名】００７６
【補正方法】変更
【補正の内容】
【００７６】
この例では、第１番目に最初のＶＴＲ２０４等の監視対象機器＃１との間で通信処理を実行する。例えば、パラメータ設定変更時、通信用スレッド３０２が監視対象機器＃１に接続され、パラメータ識別子ＩＤ等の共通コマンドが発行される。監視対象機器＃１では、パソコン１０３からパラメータ識別子ＩＤを受信し、ここに受信したパラメータ識別子ＩＤを解析し、ここで解析されたパラメータ識別子ＩＤを監視対象機器＃１のパラメータ識別子ＩＤに変換し、変換後のパラメータ識別子ＩＤに対応付けられた設定項目の調整内容に基づいて監視対象機器＃１のパラメータ設定を変更する。監視対象機器＃１でパラメータ設定が変更されると、監視対象機器＃１から通信用スレッド３０２にレスポンス（応答通知）が返信される。
【手続補正２】
【補正対象書類名】明細書
【補正対象項目名】００７７
【補正方法】変更
【補正の内容】
【００７７】
その後、第２番目にＶＴＲ２０５等の監視対象機器＃２との間で通信処理を実行する。例えば、パラメータ設定変更時、通信用スレッド３０２が監視対象機器＃２に接続され、パラメータ識別子ＩＤ等の共通コマンドが発行される。監視対象機器＃２では、パソコン１０３からパラメータ識別子ＩＤを受信し、ここに受信したパラメータ識別子ＩＤを解析し、ここで解析されたパラメータ識別子ＩＤを監視対象機器＃２のパラメータ識別子ＩＤに変換し、変換後のパラメータ識別子ＩＤに対応付けられた設定項目の調整内容に基づいて監視対象機器＃２のパラメータ設定を変更する。監視対象機器＃２でパラメータ設定が変更されると、監視対象機器＃２から通信用スレッド３０２にレスポンス（応答通知）が返信される。